(57)【要約】【課題】ビデオ及びマルチメディア・コンテンツを取得し配送する方法を提供する。【解決手段】この方法は、ビデオ及びマルチメディア・コンテンツを取得し配送する方法であって、コンテンツ・ダウンロード・リクエストをユーザ端末から受け取るステップと、リクエストがローカル・ダウンロードであるか遠隔ダウンロードであるかを判断するステップと、リクエストが遠隔ダウンロード・リクエストである場合には、コンテンツが直接に配送されるか間接に配送されるかを判断するステップと、配送が直接になされる場合には、遠隔コンテンツ・サーバからユーザ端末まで通信リンクを確立し、リクエストされたコンテンツをユーザ端末に配送し、ユーザ端末への配送を確認し、確認された配送をローカル及び遠隔サーバ・データベースの一方に記録するステップと、を含む。【選択図】図４
2010011473.tif 000002
【特許請求の範囲】
【請求項１】
ビデオ及びマルチメディア・コンテンツを取得し配送する方法であって、
コンテンツ・ダウンロード・リクエストをユーザ端末から受け取るステップと、
前記リクエストがローカル・ダウンロードであるか遠隔ダウンロードであるかを判断するステップと、
前記リクエストが遠隔ダウンロード・リクエストである場合には、前記コンテンツが直接に配送されるか間接に配送されるかを判断するステップと、
前記配送が直接になされる場合には、遠隔コンテンツ・サーバから前記ユーザ端末まで通信リンクを確立し、前記リクエストされたコンテンツを前記ユーザ端末に配送し、前記ユーザ端末への配送を確認し、前記確認された配送をローカル及び遠隔サーバ・データベースの一方に記録するステップと、
を含むことを特徴とする方法。
【請求項２】
請求項１記載の方法であって、前記リクエストがローカル・ダウンロード・リクエストであり、
前記リクエストされたコンテンツに関連するメタデータを解析するステップと、
前記解析されたメタデータに基づき、前記リクエストされたコンテンツが前記ユーザ端末への配送のための正しいフォーマットを有するかどうかを判断するステップと、
前記リクエストされたコンテンツ・フォーマットが正しくない場合には、前記リクエストされたコンテンツをリトリーブし、前記リクエストされたコンテンツを復号化し、前記リクエストされたコンテンツを前記ユーザ端末への配送のために要求されたフォーマットに再フォーマットするステップと、
前記リクエストされたフォーマットが正しい場合には、前記リクエストされたコンテンツをコンテンツ配送サーバにルーティングするステップと、
前記ユーザ端末のユーザに関連するユーザ・プロフィールと前記コンテンツ・メタデータとを解析するステップと、
前記解析されたユーザ・プロフィールと前記コンテンツ・メタデータとに基づき、デジタル権利管理方式を前記コンテンツ配送に適用し、１又は複数の広告を前記リクエストされたコンテンツに組入れるステップと、
を含んでおり、前記１又は複数の広告の１又は複数は、前記ユーザ端末のユーザに向けられていることを特徴とすることを特徴とする方法。
【請求項３】
請求項１記載の方法において、前記リクエストされたコンテンツが間接に配送され、
前記リクエストされたコンテンツを遠隔取得サーバで取得するステップと、
前記リクエストされたコンテンツはアグリゲータ・ローカル・ストレージで記憶されるべきかどうかを判断するステップと、
前記アグリゲータ・ローカル・ストレージで記憶される場合には、前記リクエストされたコンテンツのフォーマットを判断し、前記リクエストされたコンテンツが記憶に適さない場合には、前記リクエストされたコンテンツを再フォーマットし、前記リクエストされたコンテンツのフォーマットが記憶に適している場合には、前記リクエストされたコンテンツを記憶するステップと、
前記リクエストされたコンテンツに関連するメタデータを解析するステップと、
前記解析されたメタデータに基づき、前記リクエストされたコンテンツが前記ユーザ端末への配送のための正しいフォーマットを有するかどうかを判断するステップと、
前記リクエストされたコンテンツ・フォーマットが正しくない場合には、前記リクエストされたコンテンツをリトリーブし、前記リクエストされたコンテンツを復号化し、
前記リクエストされたコンテンツを前記ユーザ端末への配送のために要求されたフォーマットに再フォーマットするステップと、
前記リクエストされたフォーマットが正しい場合には、前記リクエストされたコンテンツをコンテンツ配送サーバにルーティングするステップと、
前記ユーザ端末のユーザに関連するユーザ・プロフィールと前記コンテンツ・メタデータとを解析するステップと、
前記解析されたユーザ・プロフィールと前記コンテンツ・メタデータとに基づき、デジタル権利管理方式を前記コンテンツ配送に適用し、１又は複数の広告を前記リクエストされたコンテンツに組入れるステップと、
を含んでおり、前記１又は複数の広告の１又は複数は、前記ユーザ端末のユーザに向けられていることを特徴とすることを特徴とする方法。
【発明の詳細な説明】
【技術分野】
【０００１】
本発明は、インテリジェントでフレキシブルな番組サーチ及び配送機構を組み入れたテレビ番組及びデジタル・マルチメディアの配送システムに関する。
【背景技術】
【０００２】
ケーブルテレビ配送システムにより、無線放送システムによって提供されるものと比較して、テレビ視聴者が利用可能な番組群は著しく拡大した。結果的に、衛星テレビ配送システムと、特に、デジタル衛星放送（ブロードキャスト）システムは、消費者に対する視聴の選択肢を更に拡大している。近い将来には、デジタル放送テレビ・システムが、消費者に向けて更に多くの番組選択肢を提供することになるであろう。
【０００３】
テレビ番組配送システムを介して配送されるテレビ番組に加えて、それ以外の番組やイベントを消費者に送ることができる。これらの他の番組やイベントには、有線及び無線で送られるストリーミング・ビデオ、ナローバンドからブロードバンドへの変化、デジタル・オーディオ番組、それ以外のマルチメディア・データなどが含まれる。
【発明の概要】
【発明が解決しようとする課題】
【０００４】
不幸にも、消費者は、テレビ配送システムのローカルで地域的な性質のために、テレビを視聴する選択肢に関して依然として制限を受けている。例えば、ボストンの放送局は、マサチューセッツ州の人々に向けてローカルな興味に関する番組を提供しており、それに対して、シアトルの放送局は、シアトル地域の人々に向けて異なる番組を提供している。ボストンの住人は、通常は、全国レベルで提供される番組以外は、シアトルの番組を見ることはできない。
【０００５】
このローカルで地域的な市場の分離に加えて、番組及びイベントの多くのそれ以外のソースは、特定の視聴地域では利用できない。これら他のソースには、オーディオ番組、ストリーミング・ビデオ、ローカル又は限られたテレビ番組（例えば、週の教育部によって提供される教育テレビ番組など）やそれ以外の番組が含まれる。
【０００６】
ある番組がローカルな視聴地域で利用可能であっても、視聴者は、その存在を知らない可能性がある。この状況は、大量の利用可能な番組群が、限定された番組メニュや案内と結合されていることの結果である。番組案内は、利用可能なすべての番組をリストに入れることはできず、番組の変更が番組案内に反映されていないことがあるし、番組案内に間違いがある場合もあるからである。更に、番組案内がより包括的になればなるほど、視聴者が、希望する番組を見つけるために番組案内をサーチをしながらいろいろな箇所を見ることは、ますます困難になりつつある。
【課題を解決するための手段】
【０００７】
上述の問題点は、この出願で開示されているビデオ及びデジタル・マルチメディア・アグリゲータ・システム及び方法によって解決される。番組コンテンツは、このシステムによってパッケージングがなされ配送されるが、それには、ビデオ、テレビ、ラジオ、オーディオ、マルチメディア、コンピュータ・ソフトウェア、電子書籍など、デジタル・フォーマットで配送が可能である任意のコンテンツが含まれる。
【０００８】
アグリゲータは、リクエスト及び結果処理サーバと、リクエスト及び結果処理サーバに結合されたサーチ・エンジン・サーバと、リクエスト及び結果処理サーバに結合されたコンテンツ取得サーバと、を含む。リクエスト及び結果処理サーバは番組に対するリクエストを受け取り、サーチ・エンジン・サーバはその番組をサーチし、コンテンツ取得サーバはユーザに配送するために番組を取得する。リクエスト及び結果処理サーバは、ユーザのサーチ・リクエストに関連する情報を受け取り、電子的なサーチ・リクエストを作成するサーチ結果フォーム・ビルダにその情報を提供するサーチ・リクエスト・プロセッサを含む。サーチ・リクエストは、コンテンツ・サーチ推薦エンジンを用いて追加的なサーチ用語と説明とをサーチ・リクエストに追加することによって、増加させることができる。アグリゲータは、また、遠隔ソースからの番組コンテンツと番組メタデータとをアグリゲータに記憶するために復号化する復号器と、コンテンツ・メニュと番組とをユーザに配送するために符号化する符号器とを含む。アグリゲータは、更に、デジタル通信ネットワークの中で番組コンテンツを探して回るコンテンツ・クローラのようなコンテンツ・クローラを含む。
【０００９】
サーチ・エンジン・サーバは、少なくともローカルなコンテンツ・データベースをサーチする。ローカル・データベースは、少なくとも２つのファイル・タイプを有している。コンテンツ・ファイルは、完全な番組コンテンツ・ファイルを含む。例えば、１９９７年の映画であるタイタニックは、完全な番組コンテンツ・ファイルとしてローカル・コンテンツ・データベースの中に存在しうる。完全な番組コンテンツ・ファイルは、また、コンテンツに関連する追加的な情報を含む参考コンテンツ又はメタデータを含んでいる場合がある。参考コンテンツの中のそのような追加的な情報には、番組のレート指定、番組の説明、ビデオ・クリップ、番組の長さ、フォーマット（例えば、４ｘ３のテレビ向きか、１６ｘ９の映画向きか、など）及びそれ以外の情報などを含む番組の説明がありうる。それ以外の情報というのは、課金情報及びデジタル権利管理情報、視聴回数や視聴された日時やその番組を見たユーザのＩＤなどを含む視聴統計、番組を視聴する間に広告が挿入されることを許容する広告情報、それ以外の情報などである。
【００１０】
参考ファイルの中の追加的な情報は、全体を又はその一部を、システム・ユーザに提供することができる。例えば、アグリゲータは、番組の説明とそれに伴うビデオ・クリップとを選択されたシステム・ユーザに提供することがありうる。参考ファイルは、システム管理の目的でアグリゲータによって用いられる場合がある。例えば、課金及びデジタル権利管理情報は、システム・ユーザから適切な料金を徴収し、徴収された料金を当該コンテンツの権利者に支払う。
【００１１】
遠隔コンテンツ・クローラは、連続的に、デジタル通信ネットワークの中で、アグリゲータに提供するコンテンツを探して回る。アグリゲータに提供されたコンテンツは、全体のコンテンツ・ファイルの形式で記憶することができる。例えば、コンテンツには、映画の全体、テレビ番組又は電子書籍が含まれうる。あるいは、アグリゲータに提供されたコンテンツは、ある遠隔位置で記憶されている又は利用可能となるコンテンツ・ファイルへの参照でもありうる。例えば、コンテンツは、未来への参照であり、システム・ユーザに対して利用可能になる予定されているライブのスポーツ・イベントでありうる。このスポーツ・イベントは、料金が徴収されるスポーツ・パッケージの一部として一時的に無料で提供されることがあるし、又は、無料のイベントとして提供されることもありうる。上述の例では、コンテンツは、アグリゲータにおいて記憶され、その後で、システム・ユーザに提供されうる。ライブ・スポーツ・イベントの例では、アグリゲータはライブ・スポーツ・イベントを記憶して、そのスポーツ・イベントを、スポーツ・イベントのライブでの視聴を容易にするのに加えて、リプレイとして提供することもできる。
【図面の簡単な説明】
【００１２】
【図１】コンテンツ・サーチ、パッケージング及び配送システムの主要なコンポーネントのブロック図である。
【図２】コンテンツをセットトップ端末に配送するように構成されている、コンテンツ・サーチ、パッケージング及び配送システムの主要なコンポーネントのブロック図である。
【図３】コンテンツをパーソナル・コンピュータ端末に配送するように構成されている、コンテンツ・サーチ、パッケージング及び配送システムの主要なコンポーネントのブロック図である。
【図４】アグリゲータ、ユーザ端末及び遠隔コンテンツ・サーバのサブシステムを示している、コンテンツ・サーチ、パッケージング及び配送システムのコンポーネントのブロック図である。
【図５】リクエスト及び結果処理サーバのサブシステムと、この処理サーバがコンテンツ・サーチ、パッケージング及び配送システムの一部として相互作用するコンポーネントとの概略である。
【図６】コンテンツ取得サーバのサブシステムと、この取得サーバがコンテンツ・サーチ、パッケージング及び配送システムの一部として相互作用するコンポーネントとの概略である。
【図７】コンテンツ配送サーバのサブシステムと、このコンテンツ配送サーバがコンテンツ・サーチ、パッケージング及び配送システムの一部として相互作用するコンポーネントとの概略である。
【図８】コンテンツ・サーチ、パッケージング及び配送システムの一部としてのデータベース・アドミニストレータのサブシステムの概略である。
【図９Ａ】図９Ａは、アグリゲータ又は遠隔コンテンツ・サーバからユーザ端末への番組コンテンツ配送を説明する流れ図を示している。
【図９Ｂ】図９Ｂは、アグリゲータ又は遠隔コンテンツ・サーバからユーザ端末への番組コンテンツ配送を説明する流れ図を示している。
【図９Ｃ】図９Ｃは、アグリゲータ又は遠隔コンテンツ・サーバからユーザ端末への番組コンテンツ配送を説明する流れ図を示している。
【図１０】アグリゲータ、ユーザ端末及び遠隔コンテンツ・ソースに関して別の実施例である、コンテンツ・サーチ、パッケージング及び配送システムのコンポーネントの概略である。
【図１１】コンテンツ取得システムと、コンテンツ取得システムがコンテンツ・サーチ、パッケージング及び配送システムの一部として相互作用するコンポーネントとの概略である。
【図１２】遠隔コンテンツ統合システムと、この遠隔コンテンツ統合システムがコンテンツ・サーチ、パッケージング及び配送システムの一部として相互作用するコンテンツ取得システムとの概略である。
【図１３】コンテンツ配送システムと、コンテンツ配送システムがコンテンツ・サーチ、パッケージング及び配送システムの一部として相互作用するコンポーネントとの概略である。
【図１４】コンテンツをコンテンツ・サーチ、パッケージング及び配送システムの一部としてコンテンツ配送システムに提供するローカル・コンテンツ・ソースの概略である。
【図１５】通信システムのサブシステムと、この通信システムがコンテンツ・サーチ、パッケージング及び配送システムの一部として相互作用するコンポーネントとの概略である。
【図１６】通信システムの一部であるコンテンツ伝送システムのサブシステムと、コンテンツ・サーチ、パッケージング及び配送システムの一部である広域流通システムのサブシステムとの概略である。
【図１７】図１１のコンテンツ取得システムの中に存在しうるコンテンツ取得方法の動作モジュールのブロック図である。
【図１８】図１３のコンテンツ配送システムの中に存在しうるコンテンツ配送方法の動作モジュールのブロック図である。
【図１９】図１５の通信システムの中に存在しうる通信方法の動作モジュールのブロック図である。
【発明を実施するための形態】
【００１３】
以下の詳細な説明では、添付の図面を参照するが、同じ参照番号は、同じ構成要素を示している。
【００１４】
図１は、コンテンツのサーチしパッケージングし配送するシステム２００のブロック図である。システム２００によってパッケージングされ配送されるコンテンツは、ビデオ、テレビ、ラジオ、オーディオ、マルチメディア、コンピュータ・ソフトウェア及び電子書籍を含む。システム２００のコンポーネントには、アグリゲータ２０１とユーザ端末２０２とが含まれており、これらは、広域（ワイド・エリア）流通システム２０３を用いて接続されている。それ以外のコンポーネントには、広域ネットワーク／インターネット２０５の接続を用いてアグリゲータ２０１との間でデータを交換する遠隔コンテンツ・サーバ２０４と、他のコンテンツ・データをアグリゲータ２０１に提供する外部コンテンツ・ソース２３２とがある。ユーザ端末２０２は、ビデオ表示システム２０７と、オーディオ再生システム２０８と、オーディオ／ビデオ記録システム２０９と、ユーザ入力装置２１４と、電子書籍リーダ２３０と、ユーザの自宅環境にある他の装置と相互作用するためのホーム・ネットワーク２２９への接続とを組み込むことができる。あるいは、ビデオ表示システム２０７とオーディオ再生システム２０８とオーディオ／ビデオ記録システム２０９と電子書籍リーダ２３０との中の１つ又は複数又はすべてが、ユーザ端末２０２に結合された別個のコンポーネントであってもよい。
【００１５】
システム２００により、ユーザは、キーワードやカテゴリの見出しなどのサーチ・パラメータを入力して、アグリゲータ２０１に、これらのパラメータを使い多くのソースからコンテンツを見つけパッケージングしてユーザ端末２０２まで配送させることが可能になる。そのようなリクエストやコンテンツ配送は、電話回線、同軸ケーブル、光ファイバ・ケーブル、無線接続、衛星ネットワーク、地上波放送システム、広域ネットワーク、インターネット、物理媒体の流通及び広域流通システム２０３として集合的に表現されるそれ以外の通信媒体を限定列挙ではなく含む通信リンクを介して送られる。図４には、多くのコンテンツ・ソースが示されており、これには、限定列挙ではないが、アグリゲータ・ローカル・ストレージ２５４、ローカル・ストリーミング・ソース２６２、遠隔コンテンツ・ストレージ２５８及び遠隔ストリーミング・ストレージ２５９が含まれる。ある実施例では、ローカル・ストリーミング・ソース２６２は、アグリゲータ２０１を含むケーブル・ヘッドエンド・システムを用いて配送されるオーディオ及びビデオ・チャネルから構成されている。
【００１６】
システム２００は、ユーザの・サーチ・リクエストを受け取ると、世界中のほぼすべてのアクティブで予定されているラジオ及びテレビ・チャネルのサーチを実行するのであるが、サーチの対象には、映画や記録されているオーディオ・ソースなどのビデオ及びオーディオ番組のアーカイブ化されたソース、それ以外のマルチメディアのソース、ソフトウェア及び電子書籍コンテンツなども含まれる。ある実施例では、システム２００は、インターネットのウェブサイトやそれ以外のオンライン・データベースのサーチする。そして、ユーザは、サーチ結果に基づいて、ダウンロードする番組やそれ以外のコンテンツを選択することができる。ある実施例では、ダウンロードや配送プロセスは、そのコンテンツをケーブルテレビやそれ以外の放送システムの特定のチャネルで利用可能にすることにより、又は、例えばインターネット標準であるＴＣＰ／ＩＰなどのデジタル通信プロトコルを用いてそのコンテンツを伝送することによって、行うことが可能である。更に、コンテンツ・サーチ、パッケージング及び配送システム２００は、ユーザの現在のサーチ・パラメータ、以前のサーチや以前に選択されたコンテンツ・ダウンロードに関する記憶されている情報及びそれ以外のユーザに特有の又は関係のある情報の分析に基づいて、推薦されるコンテンツのリストを作成して提供することができる。システム２００は、また、開始時間の前に、予定されている番組は特定の時刻に放送されるということを告げる電子メール・メッセージ及び／又はオンスクリーン・メッセージの告知を用いて、選択された番組や他のコンテンツの利用可能性について、ユーザに知らせることができる。システム２００は、１又は複数のデジタル権利管理（ＤＲＭ）システムをサポートしており、ダウンロードされたコンテンツと関連する著作権及び使用権をトラッキングして、ユーザの口座に適切な請求を行い、ライセンスと使用料とをコンテンツ・プロバイダに提供する。システム２００は、ユーザが、どのような情報が収集されているかをコントロールし、その情報との関係でなされることを制限し、希望する場合にはユーザのプロフィールの中の情報を検討して削除することを可能にする、ユーザのプライバシ保護方式を実現しうる。
【００１７】
システム２００の実施例の概観が図２に示されているが、この図では、ユーザ端末２０２は、ケーブルテレビ・システム・ヘッドエンド２１０を介してアグリゲータ２０１と通信するセットトップ端末２０６であり、従って、ケーブルテレビ・システム・ヘッドエンド２１０の高い帯域幅の連結されたケーブル・システム２１６を利用している。更に、セットトップ端末２０６のシステムは、チューナ２２８と、デマルチプレクサ２３１と、ビデオ表示システム２０７と、オーディオ再生システム２０８と、オーディオ／ビデオ記録システム２０９と、ユーザ入力装置２１４と、電子書籍リーダ２３０と、ユーザのホーム・ネットワーク２２９への接続とを含む。これらのコンポーネントは、サーチ、パッケージング及び配送システム２００によって配送されるオーディオ及びビデオ番組とそれ以外のコンテンツとを、チューニングし、選択し、見て、聴いて、記憶するのに用いられる。図２には、また、広域ネットワーク／インターネット２０５を介して１又は複数の遠隔コンテンツ・サーバ２０４から直接にセットトップ端末２０６に至る通信経路が示されているが、この経路は、アグリゲータ２０１とケーブルテレビ・システム・ヘッドエンド２１０とをバイパスしている。この経路は、リクエストされたコンテンツが遠隔コンテンツ・サーバ２０４から要求されたフォーマットで入手可能であり、ユーザに直接に配送することが認証される場合に、用いることができる。別の実施例では、アグリゲータ２０１は、広域流通システム２０３として機能しているケーブルテレビ・ヘッドエンド２１０と同じ場所にあり、これは、ケーブルテレビ・システムがユーザのインターネット・サービス・プロバイダとして機能している場合と同じである。
【００１８】
システム２００の別の実施例の概観が、図３に示されている。この実施例では、ユーザ端末２０２は、インターネット・サービス・プロバイダ／ケーブルテレビ・システム・ヘッドエンド２１５を介してアグリゲータ２０１と通信するパーソナル・コンピュータ端末２１１である。この場合には、コンテンツは、インターネット・サービス・プロバイダ（ＩＳＰ）として機能しているケーブル・ヘッドエンドによって配送される。パーソナル・コンピュータ端末２１１は、また、ビデオ表示システム２０７と、オーディオ再生システム２０８と、オーディオ／ビデオ記録システム２０９と、ユーザ入力装置２１４と、電子書籍リーダ２３０と、ホーム・ネットワーク２２９への接続とを含みうる。また、１又は複数の遠隔コンテンツ・サーバ２０４から広域ネットワーク／インターネット２０５を介して直接にパーソナル・コンピュータ端末２１１に至る通信経路が存在する。この経路は、リクエストされたコンテンツが要求されたフォーマットを有しておりユーザに直接に配送することが認証される場合には、アグリゲータ２０１とインターネット・サービス・プロバイダ／ケーブルテレビ・システム・ヘッドエンド２１５とをバイパスする。
【００１９】
ユーザは、多数の異なる方法で、ビデオ及びオーディオ番組（すなわち、コンテンツ）を受け取ることができる。第１に、図２に示されているユーザ端末２０２の中のチューナ２２８を、単純に、希望する番組にチューニングすることができるし、又は、デマルチプレクサ２３１が、デジタル・マルチプレクスの中から番組を選択し、その番組を適切な時刻に表示する。しかし、希望する番組がユーザのケーブルテレビ・システム・ヘッドエンド２１０によって放送されていないことがあるし、ユーザは、ローカル・ヘッドエンドによって提供される番組を見たいのであるが、それには加入していないという場合もある。例えば、ユーザが通常は受信していないプレミアム・チャネルによって放送されるボクシングの試合などである。このような例では、その番組を、電話回線、光ファイバ伝送線若しくはそれ以外の通信媒体を用いて、又は、ケーブルテレビ・システム・ヘッドエンド２１０を用いて、アグリゲータ２０１によって、ユーザに配送することができる。ある実施例では、アグリゲータ２０１は、米国及び外国の番組配送システムから番組を入手しその番組をシステム・ユーザに配送することによって、希望の番組をユーザに供給することができる。従って、ユーザは、ユーザ自身の直近の視聴エリアの外にある番組にもアクセスをすることができる。
【００２０】
図４は、システム２００とシステム・コンポーネントの実施例とを更に詳細に示している。ユーザの位置では、ユーザ端末２０２は、チューナ２２８と、デマルチプレクサ２３１と、ユーザ端末プロセッサ２２７と、ユーザ・ローカル・ストレージ２１２と、ユーザ・ローカル・データベース２１３とを含む。ユーザ端末２０２に結合されているのは、ユーザ入力装置２１４と、ビデオ表示システム２０７と、オーディオ再生システム２０８と、オーディオ／ビデオ記録システム２０９と、電子書籍リーダ２３０と、ホーム・ネットワークへの接続２２９とである。
【００２１】
ユーザ端末２０２は、広域流通システム２０３を経由してアグリゲータ２０１に結合され、更には、広域ネットワーク／インターネット２０５を経由して遠隔番組ソースに結合されている。遠隔番組ソースは、遠隔ストリーミング・ソース２５９と、遠隔中央ストレージ２５８とを含む。遠隔番組ソースは、また、遠隔データベース２６１と、遠隔コンテンツ・サーバ２０４を介して、遠隔サーバ・データベース２６０とを含む。
【００２２】
アグリゲータ２０１は、広域流通システム２０３を経由してユーザ端末２０２と通信する通信サーバ２５０を含みうる。通信サーバ２５０は、リクエスト及び結果処理サーバ３００と、コンテンツ配送サーバ４５０と、システム・アドミニストレータ５００とからの入力を受け取る。コンテンツ配送サーバ４５０は、符号器及びコンテンツ・フォーマッタ２５３とコンテンツ取得サーバ４００とからの入力を受け取る。コンテンツ配送サーバ４５０は、また、アグリゲータ・ローカル・ストレージ２５４とローカル・ストリーミング・ソース２６２とにアクセスする。最後に、コンテンツ配送サーバ４５０は、システム・アドミニストレータ５００への出力を提供する。
【００２３】
符号器（コーダ）及びコンテンツ・フォーマッタ２５３は、コンテンツ取得サーバ４００と、アグリゲータ・ローカル・ストレージ２５４と、ローカル・ストリーミング・ソース２６２とから入力を受け取る。システム・アドミニストレータ５００は、コンテンツ配送サーバ４５０から入力を受け取り、コンテンツ取得サーバ４００と、リクエスト及び結果処理サーバ３００と、サーチ・エンジン・サーバ３５０と、アグリゲータ・アーカイブ２５５との通信を行う。復号器（デコーダ）及びコンテンツ・フォーマッタ２５２は、コンテンツ取得サーバ４００に結合されている。最後に、ネットワーク・ゲートウェイ２５１は、アグリゲータ２０１のコンポーネントを、広域ネットワーク／インターネット２０５を介して、遠隔コンテンツ・サーバ２０４に結合する。
【００２４】
アグリゲータ２０１で受信されたコンテンツは、フォーマッタ２５３に入力される。フォーマッタ２５３は、すべての入力コンテンツを、配送システム２００に動作可能な態様で接続された１又は複数のユーザ端末２０２によって容易に受信されるフォーマットに再フォーマットされる。更に、フォーマッタ２５３は、コンテンツの全体の又は部分的なコピーを、アグリゲータ・ローカル・ストレージ２５４に、圧縮された形式で記憶することができる。また、アグリゲータ２０１は、ボクシングの試合など、コンテンツによってはリアルタイムで提供することもできる。ある実施例では、多数のユーザが１つの特定のライブの番組を望む場合には、ケーブルテレビ・システム・ヘッドエンド２１０は、その番組を広域流通システム２０３を介して個々のそれぞれのユーザに放送（ブロードキャスト）するのではなく、リクエスト者のすべてが利用可能な特定のチャネルに向けてその番組を放送することができる。「Digital Broadcast Program Ordering」の注文と題された米国特許出願第０９／１９１，５２０号を参照のこと。この米国特許出願は、放送番組配送の詳細に関して、この出願で援用する。
【００２５】
アグリゲータ２０１は、また、キャプチャされる番組の数を所定のスレショルドを超える視聴者を有する番組に制限するスクリーニング・プロセスを実現することができる。実際、アグリゲータ２０１は、書影の選択基準に合致する番組だけを通過させるフィルタを含んでいる。このフィルタは、例えばアダルト・コンテンツなどの特定のアイテムを排除するようにコンテンツのスクリーニングをする機能を有している。
【００２６】
システム・アドミニストレータ５００は、どれだけの料金がだれに対して支払われなければならないかを、記録する。例えば、アグリゲータ２０１は、ある番組が放送されると、著作権料やそれ以外の料金が誰に対して支払われるべきであるかを決定する。
【００２７】
ユーザ端末２０２は、テレビ、セットトップ端末２０６、パーソナル・コンピュータ端末２１１（図３を参照）又はデジタル若しくはアナログ・データを受信することができる任意の装置などであり、これらの中のいくつかの組合せでもよい。ユーザ端末２０２には、システム２００に向けてサーチ基準を通信するだけでなくユーザ端末のメニュ・システムを中を移動しながらユーザ端末のそれ以外の様々な機能を制御するユーザ入力装置２１４が備わっている。ユーザ・ローカル・ストレージ２１２は、コンテンツを、１又は複数の着脱型及び／又は固定型の記憶装置又は媒体に、後でアクセスするために、記憶しアーカイブ化するのに用いられる。着脱型の記憶媒体には、これらに限定されないが、磁気テープと、磁気ディスクと、光ディスク及びモジュールと、電子メモリ・カートリッジとが含まれる。ユーザ・ローカル・データベース２１３は、ユーザのプロフィール及び口座に関するすべての情報のリポジトリである。ユーザ・プロフィール及び口座情報には、これらに限定されないが、ユーザ名と、パスワードと、ユーザが記憶を承認している個人情報と、料金請求（課金）情報と、その口座へのアクセスを許されている他のユーザと、過去のサーチ基準と、過去のコンテンツ・ダウンロード情報と、記憶されているコンテンツに関するライブラリ情報とが含まれる。消費者保護として、ユーザ端末２０２は、口座ユーザが、ユーザ・ローカル・データベース２１３に記憶されている情報を見て、データ・フィールドを修正し、アグリゲータ２０１におけるメイン・システム・データベースにどのデータ・フィールドを報告するかを選択することを可能にしている。これらの限定されないが、口座番号と課金情報とを含むフィールドは、このレベルのユーザ・アクセスを許さないようにもできる。
【００２８】
ユーザ端末プロセッサ２２７は、中央処理装置と、ユーザ端末２０２の中でのすべての動作を実行する関連のハードウェア、ソフトウェア及びファームウェアすべてを含む。これらの動作には、限定はされないが、アグリゲータ２０１及びそれ以外のネットワークで接続されている装置との通信の管理と、サーチ及びダウンロード・リクエストの処理と、サーチ及びダウンロード結果の表示と、ユーザ・ローカル・ストレージ２１２及びローカル・データベース２１３との通信の管理及び制御と、グラフィカル・ユーザ・インターフェース（ＧＵＩ）メニュの提供を伴うユーザとの対話への応答と、様々なオーディオ及びビデオ出力装置を用いた選択された番組コンテンツの再生と、デジタル権利管理方式のユーザ部分の実現と、ユーザの口座及び課金の管理とが含まれる。チューナ２２８とデマルチプレクサ２３１とは、１又は複数のケーブルテレビ・システム２１６及び／又は衛星システム及び／又はオフ・エアの放送受信機などそれ以外の配送システムにおいて利用可能なチャネルから再生するオーディオ／ビデオ・チャネルを選択するのに用いられる。ここで用いている「オフ・エア」（off-air）という用語は、放送信号が適切なアンテナを使用することにより公共の放送波（エア・ウェーブ）を介して受信することができるということを意味する。
【００２９】
ある実施例では、ユーザ端末２０２は、アグリゲータ２０１の選択された特徴を組み入れている場合もある。例えば、ユーザ端末２０２には、小型のメタデータ・クローラと、アグリゲータと、番組コンテンツ及び番組メタデータ・ストレージとを含む場合がある。
【００３０】
ユーザ端末２０２は、広域流通システム２０３を用いて、アグリゲータ２０１と通信する。アグリゲータ２０１の内部では、通信サーバ２５０が、システム・ユーザとの主要な通信を管理する目的で、広域流通システム２０３とのインターフェース・ポイントとして機能する。通信サーバ２５０は、入力されてくるユーザ・リクエスト及び関連するユーザ情報と、リクエスト及び結果処理サーバ３００にルーティングし、サーチ結果及びコンテンツ・ダウンロードと広域流通システム２０３を介してエンド・ユーザにルーティングし、課金情報をシステム・アドミニストレータ５００の内部の顧客課金サーバからエンド・ユーザにルーティングする。リクエスト及び結果処理サーバ３００は、ユーザ・サーチ・リクエストと、コンテンツ・ダウンロード・リクエストと、管理情報リクエストと、サーチ結果と、関連コンテンツの推薦と番組告知とに関係する、基本的な処理及びルーティングを実行する。
【００３１】
図５は、リクエスト及び結果処理サーバ３００の個々のサブシステムを示している。システムからのリクエストのタイプには、限定はされないが、番組及びそれ以外のコンテンツ・サーチ・リクエストと、先行するサーチの結果に基づくコンテンツ・ダウンロード・リクエストと、管理情報リクエストとが含まれる。管理情報に対するリクエストは、ユーザ端末２０２によって自動的に生成されるか、又は、システム・ユーザによって手動で開始される。管理リクエストが受け取られると、リクエスト受信機及びルータ３０１は、システム・アドミニストレータ５００の内部でデータベース・アドミニストレータ５０２（図８を参照）とのダイアログを開き、リクエストされたシステム・ユーザの管理データをリトリーブし、そのデータを、通信サーバ２５０を経由してユーザ端末２０２にルーティングする。サーチ・リクエストとコンテンツ・ダウンロード・リクエストとは、サーチ・リクエスト・プロセッサ３０３とコンテンツ・ダウンロード・リクエスト・プロセッサ３０２とにそれぞれルーティングされる。プロセッサ３０２及び３０３は、データベース・アドミニストレータ５０２とのダイアログを開き、ユーザのリクエストが認証されていることを確認する。ユーザのリクエストが認証されていない場合には、プロセッサ（３０２又は３０３）は、メッセージを、リクエスト受信機及びルータ３０１と通信サーバ２５０とを経由してユーザに送り、ユーザにリクエストが否定されたことを告げる。次に、プロセッサ（３０２又は３０３）は、そのイベントを、システム・アドミニストレータ５００を用いてログをとる。リクエストが認証されると、プロセッサ（３０２又は３０３）は、必要に応じてリクエストをフォーマットして、コンテンツ・ダウンロード・リクエストをコンテンツ取得サーバ４００に、サーチ・リクエストをサーチ・エンジン・サーバ３５０にルーティングする。
【００３２】
番組ダウンロード・リクエストに対しては、コンテンツ取得サーバ４００は、選択されたコンテンツに関するスケジュール及び入手可能性情報を、システム・アドミニストレータ５００の中のデータベース・アドミニストレータ５０２に提出し、すると、データベース・アドミニストレータ５０２は、このスケジュール及び入手可能性情報を、リクエスト及び結果処理サーバ３００の中の予定番組及びコンテンツ入手可能性プロンプト及び告知プロセッサ３０６にルーティングする。予定番組及びコンテンツ入手可能性プロンプト及び告知プロセッサ３０６は、すると、選択されたコンテンツが特定の時刻に入手可能であるというある形式のプロンプト及び／又は告知をユーザに向けて開始する。この告知は、これらには限定されないが、オンスクリーン・ポップアップ・ウィンドウと、可聴の告知と、電子メール告知と、インスタント・メッセージと、自動化された電話告知とを含む様々な形式をとることができる。プロンプト及び／又は告知の正確な形式及びタイミングは、ユーザによるカスタマイズが可能であり、そのコンテンツが予定されているのか、連続的に放送されるのか、それともいつでもダウンロードが可能であるのかなどに基づく。ある実施例では、選択された番組がもうすぐ放送される又はテレビで見ることが可能になると、プロンプトがサーバ３００によって送られ、ユーザにその番組がいつ放送されるのかを告知する。オンスクリーン・プロンプトの場合には、ユーザがそのプロンプトから選択された番組にハイパーリンクすることができるような機構が提供される。サーチ・リクエストに関しては、サーチ・エンジン・サーバ３５０が、サーチ基準を満たすと判断されたすべてのコンテンツ・エントリに関する予定と利用可能性と説明的な情報とを含むデータ・パッケージが、リクエスト及び結果処理サーバ３００に返される。
【００３３】
システム・ユーザによって入力された基準を含むコンテンツを求めるサーチに加えて、コンテンツ・サーチ推薦サーバ３０４は、サーチ・エンジン・サーバ３５０と共同して、ユーザに、カテゴリやテーマなど様々な態様で関連しているコンテンツを推薦することができる。コンテンツ・サーチ推薦エンジン３０４は、図６にその詳細が示されている。例えば、ユーザがタイタニックに関する番組を見ることを希望している場合には、コンテンツ・サーチ推薦エンジン３０４は、タイタニックに関する番組を推薦することに加えて、タイタニック以外の船についての番組や電子書籍などそれ以外のコンテンツについて推薦したり告知したりすることができる。同様に、サーチ基準がターザンの映画に出演した俳優であるジョニー・ワイズミュラーヲ含む場合には、コンテンツ・サーチ推薦エンジン３０４は、ジョニー・ワイズミュラー以外の別の俳優が出ているターザンに関する番組や他のコンテンツを推薦することができる。更に、コンテンツ・サーチ推薦エンジン３０４は、ユーザが実際にダウンロードしたコンテンツに関する情報に加えて、ユーザによって入力された過去のサーチ基準に基づいて視聴すべきと思われる番組を推薦する。例えば、サーチ基準がジョニー・ワイズミュラーを含み、このユーザが過去において多くのスポーツ関係の番組をサーチしてダウンロードしている場合には、コンテンツ・サーチ推薦エンジン３０４は、ジャングル・プールのテレビ・シリーズなどジョニー・ワイズミュラーに直接に関係するターザン映画とそれ以外のコンテンツとに加えて、競泳とスポーツ履歴と伝記的な番組を含む番組及びそれ以外のコンテンツを推薦であろう。ユーザがターザン映画をサーチして受信している場合には、コンテンツ・サーチ推薦エンジン３０４は、エドガー・ライス・バーローによる電子書籍を推薦するであろうと思われる。そのような電子書籍は、広域ネットワーク／インターネット２０５を用い、アグリゲータ２０１をバイパスして、ユーザ端末２０２にダウンロードが可能であるし、又は、ユーザ端末２０２への配送のためにアグリゲータ２０１にコンパイルすることが可能である。電子書籍配送システムは、Hendricksへの「Electronic Book Selection and Delivery System」と題する米国特許第５，９８６，６９０号と、同時出願中であり「ElectronicBook Alternative Delivery Ststem」と題する米国特許出願第０９／２８９，９５７号とに説明されている。アグリゲータのコンテンツ推薦機能については２００１年８月３日に出願され、同時出願中の「Videoand Digital Multimedia Aggregator」と「Video and Digital Multimedia AggregatorContent Suggestion Engine」とに説明がある。これらは、この出願において援用する。
【００３４】
図５に戻ると、すべてのサーチ結果は、ユーザ・サーチ基準と推薦されたサーチ基準とに基づいて、サーチ・エンジン・サーバ３５０によって送られ、そして、リクエスト及び結果処理サーバ３００の中にあるサーチ結果形式ビルダ３０５に送られる。サーチ結果形式ビルダ３０５は、通信サーバ２５０を介してユーザ端末２０２まで伝送するために、結果をフォーマットする。サーチ結果形式ビルダ３０５は、ユーザ・サーチ結果と推薦されたサーチ結果との優先順位付きのリストを用いて、番組、予定及び入手可能性情報を用いてサーチ結果を充実させる。リクエスト及び結果処理サーバ３００は、次に、サーチ結果を暗号化し、６７４から通信サーバ２５０を経由してユーザ端末２０２まで送る。ユーザ端末２０２では、ユーザが戻された結果をビデオ表示システム２０７又は電子書籍リーダ２３０との上に表示することを可能にするプロンプトが表示される。
【００３５】
サーチ結果は、次に、様々なフォーマットでユーザのビデオ表示システム２０７に表示される。このフォーマットには、限定的ではないが、サーチ基準との関連性に基づく階層的なリスティングと、入手可能な時間とコンテンツ・ソースとに基づいて電子番組案内に類似する表示とが含まれる。ユーザは、様々な結果表示フォーマットから選択することができ、結果データをリクエストに応じて再フォーマットすることができる。ある実施例では、ユーザは、サーチ基準の１つ又は番組の属性とを選択することができ、結果は、この選択に基づいてソートすることができる。例えば、多数の番組タイプが戻される場合には、ユーザは、「ドキュメンタリ」を選択することができ、結果は、ドキュメンタリ番組が最初に出てくるようにリストにすることができる。結果の表示は、特定の番組の選択がユーザの定義によるサーチ基準の結果であるのか、それとも、システムがコンテンツを推薦することができる能力の結果であるのかを、示している。ユーザは、ユーザ・サーチからの結果だけ、推薦されたコンテンツ・サーチの結果だけ、又はその両方を、表示することができる。ある実施例では、全体のメニュ・システムは、可聴的なプロンプト及びリストを用いて実現することができ、視覚的な障害を有するユーザに適応することもできる。そのようなシナリオでは、入力方法は、音声認識、ブライユ点字入力パッドを有する遠隔制御装置など触覚的な認識、これらの方法の組合せなども可能である。
【００３６】
図４に示されているように、ネットワーク・ゲートウェイ２５１は、アグリゲータ２０１と広域ネットワーク／インターネット２０５との間での通信システムとして、そして従って、遠隔コンテンツ・サーバ２０４として、機能する。ネットワーク・ゲートウェイ２５１は、広域ネットワーク／インターネット２０５への接続するため広範な使用において任意のぷるをサポートし、アグリゲータ２０１と広域ネットワーク／インターネット２０５との間のセキュリティ・ファイアウォールとして機能する。ネットワーク・ゲートウェイ２５１は、サーチ及びコンテンツ・ダウンロード情報をアグリゲータ２０１から１又は複数の遠隔コンテンツ・サーバ２０４とにルーティングし、サーチ結果及びコンテンツを遠隔コンテンツ・サーバ２０４と他のインターネット・ソースとからアグリゲータ２０１に戻るようにルーティングする。
【００３７】
コンテンツ取得サーバ４００は、図６に詳細に示されているように、リクエスト及び結果処理サーバ３００からコンテンツ・ダウンロード・リクエストを受け取る。コンテンツ取得サーバ４００は、コンテンツ・リクエスト・プロセッサ及びルータ４０１と、遠隔コンテンツ・ダウンロード・プロセッサ４０２とを含む。ダウンロード・リクエストは、ユーザによって、ソースからのコンテンツ選択を求めてなされる。その対象は、限定を意味しないが、先の番組サーチ、再度予定されているイベント、電子願組案内、電子書籍及びコンピュータ・ソフトウェアのリスト、広告、宣伝、関連するインターネット・ウェブ・サイトなどが含まれる。一般に、ダウンロード・リクエストは、コンテンツのソースとコンテンツがローカルであるか遠隔であるかとを示すデータが付随している。遠隔サイトからだけ入手可能なコンテンツに対するリクエストは、ネットワーク・ゲートウェイ２５１にルーティングされ、次に、適切な遠隔ソースにルーティングされる。遠隔ソースには、限定を意味しないが、図４に示されている遠隔コンテンツ・ストレージ２５８と、遠隔ストリーミング・ソース２５９とが含まれる。遠隔コンテンツ・サーバ２０４は、リクエストを確認して、コンテンツを広域ネットワーク／インターネット２０５を介してコンテンツを返却する。番組コンテンツが適切なフォーマットを有しユーザに直接に配送されることが承認されている場合には、コンテンツは、広域ネットワーク／インターネット２０５と広域流通システム２０３とを介して、ユーザ端末２０２までルーティングされる。この転送の間に、課金及び配送の認証に関する管理データは、アグリゲータに返送される。
【００３８】
フォーマットされておらず遠隔ソースから直接に配送する認証がなされていない番組は、ネットワーク・ゲートウェイ２５１を経由して、コンテンツ取得サーバ４００に含まれている遠隔コンテンツ・ダウンロード・プロセッサ４０２まで伝送される。遠隔コンテンツ・ダウンロード・プロセッサ４０２は、遠隔ソースへのダウンロード接続を管理しながら、番組コンテンツをバッファ又はキャッシュする。番組コンテンツは、次に、復号器及びコンテンツ・フォーマッタ２５２にルーティングされ、コンテンツ・フォーマッタ２５２は、様々な産業上のフォーマットと圧縮方式とを復号し、復号されたデータと関連するメタデータとを配送及びローカル・ストレージのために、１又は複数の好適なコンテンツ・フォーマットに符号化する。処理された番組コンテンツは、ユーザＩＤ及びルーティング・データと共にコンテンツ配送サーバ４５０にルーティングされ、サーバ４５０は、通信サーバ２５０と広域流通システム２０３とを介してユーザ端末２０２までのコンテンツの配送を管理する。コンテンツ配送サーバ４５０は、図７に詳細に示されている。
【００３９】
ローカル・ソースから入手可能な番組に対するリクエストは、コンテンツ配送サーバ４５０の中にあるローカル・コンテンツ・リクエスト・プロセッサ４５１に直接にルーティングされる。ローカル・コンテンツ・リクエスト・プロセッサ４５１は、ローカル・ソースからのコンテンツの配送を開始する。ローカル・ソースには、限定的ではないが、アグリゲータ・ローカル・ストレージ２５４とアグリゲータ・ローカル・ストリーミング・ソースとが含まれる。ローカル・コンテンツ・リクエスト・プロセッサ４５１は、そして、コンテンツを符号器及びファイル・フォーマッタ２５３にルーティングする。ある実施例では、ローカル・ストリーミング・ソース２６２は、アグリゲータ２０１をハウジングの中に有するケーブルテレビ・システム・ヘッドエンド２１０において入手可能なケーブルテレビ・チャネルの任意のものを含むことができる。番組コンテンツがユーザがリクエストしたフォーマット及び符号化方式を有していない場合には、符号器及びコンテンツ・フォーマッタ２５３（図４）が、番組のコンテンツ・フォーマット及び符号化を、ユーザへの配送のために、実行する。コンテンツは、次に、コンテンツ配送プロセッサ４５３に送られ、プロセッサ４５３は、通信サーバ２５０と広域流通システム２０３とを経由したユーザ端末２０２までのコンテンツの配送を管理する。
【００４０】
コンテンツ取得及び配送プロセスの間、コンテンツ配送プロセッサ４５３は、配送される番組コンテンツが元のコンテンツ・ダウンロード・リクエストと一致しているということを見守って確認する。これは、番組とユーザ・メタデータとをローカル・コンテンツ・リクエスト・プロセッサ４５１を経由してコンテンツ取得サーバ４００から受取り、受け取られたデータを、実際にリクエストされたコンテンツのメタデータと、番組リクエスト及びダウンロード・プロセスの間に受け取られた実際に配送されたコンテンツとに対して比較することによって、なされうる。そして、確認が、システム・アドミニストレータ５００に記録される。ある実施例では、ユーザ情報とコンテンツ・メタデータとに基づいて、コンテンツ配送プロセッサ４５３が、広告プロセッサ４５６に命令して、特定の広告をある番組コンテンツにそれがシステム・ユーザに配送されるときに挿入させることができる。広告は、アグリゲータ・ローカル・ストレージ２５４からリトリーブされるか、又は、ユーザ端末２０２に既に存在している。広告をユーザに向ける方法は、同時出願中の「Targeted Advertising Using Television Delivery System」と題する米国特許出願第０９／０５４，４１９号と、「Methodand Apparatus for Targeted Advertising」と題する米国特許出願第０８／１６０，２８０号とに説明されている。これらは、この出願において援用する。番組配送の確認は、また、アグリゲータ・ローカル・データベース５０１への記録のために、データベース管理者５０２に送られる。
【００４１】
同様に、コンテンツが著作権で保護され、ユーザにはある権利が付与され、著作権保護されているコンテンツの使用に関しては他の者は禁止されている場合には、コンテンツ配送プロセッサ４５３は、デジタル権利管理プロセッサ４５４に命令して、デジタル権利管理（ＤＲＭ）方式を実現させることができる。ＤＲＭ方式は、デジタル・コンテンツがいかにして用いられるのかを制御し、更に、限定的ではないが、コンテンツをユーザ端末２０２に記憶できるのか、他のシステムにコピーできるのか、他のユーザに送っていいのか、着脱可能な媒体に転送していいのか、異なるデジタル・ファイル・フォーマット又は符号か方式に変換していいのか、などが含まれる。ＤＲＭ方式は、デジタル暗号化技術を用いて、必要ならば、著作権保護を強勢することができる。そのような場合には、デジタル権利管理プロセッサ４５４は、コンテンツ配送プロセッサ４５３に命令して、当該番組コンテンツを暗号化データと共に暗号化プロセッサ４５５にルーティングさせることができる。暗号化プロセッサ４５５は、番組コンテンツを暗号化し、エンド・ユーザに伝送するために、そのコンテンツをコンテンツ配送プロセッサ４５３に戻す。このタイプのシナリオでは、認証されたユーザ端末２０２は、番組コンテンツを復号化して出力するために必要な情報を有している。更に、ユーザ端末２０２は、特定のコンテンツに適用された任意のＤＲＭ方式を強制するのに必要な情報を含む。
【００４２】
連結されたケーブルテレビ・システム２１６を介してブロードキャストされる番組以外の番組コンテンツを配送する間には、ユーザ端末２０２は、ユーザ端末２０２を識別し適切なデータが配送されていることを確認し配送が継続すべきであることを指示するコンテンツ配送プロセッサ４５３に対して連続的に応答する。ダウンロードがユーザによって停止される場合には、ユーザ端末２０２は、コンテンツ配送プロセッサ４５３に告知し、その上でプロセッサ４５３が配送を停止する。
【００４３】
リクエストされた番組が成功裏に配送されると、コンテンツ配送サーバ４５０は、システム・アドミニストレータ５００（図４には図示せず）の中にある顧客課金サーバ５０６と著作権課金サーバ５０７とにその結果を記録する。顧客課金サーバ５０６は、コンテンツの配送が顧客の口座への追加的な課金を必要とするかどうかを判断して、これを課金記録に入力し、それをデータベース・アドミニストレータ５０２（図８）に記録する。システム・アドミニストレータ５００は、２００１年８月３日に出願され、「Video and Digital Multimedia Aggregator」と称する同時継続中の米国特許出願により詳細に説明されている。この米国特許出願は、この出願で援用する。
【００４４】
システム・ユーザは、入力装置又は方法の複数の異なるオプションを用いてサーチ基準の複数の異なるタイプを入力することにより、コンテンツ・サーチ・リクエストを開始することができる。サーチ基準は、限定されないが、主題、著者、タイトル、出演者又は演技者、監督及び／又はコンテンツの説明を含む番組コンテンツの特徴に関係するキーワードを介して入力することができる。サーチは、限定されないが、映画、テレビ・シリーズ、ドキュメンタリ、スポーツ番組、ラジオの会話番組、ラジオの音楽番組などを含む番組のタイプ又はフォーマットに基づくことができる。ユーザは、限定されないが、アクション、ドラマ、歴史、教育、青少年、アダルト、現在のイベント、自然、ライブ・イベント、クラシック、ジャズ、ロックなどの音楽カテゴリ、消費者問題、政治問題、地域に特有の内容などを含む主題のカテゴリに基づくことができる。サーチ基準は、また、１日の時間、チャネル及び／又はコンテンツ・プロバイダに基づいて入力することができる。ユーザは、また、単純な言語パターンを用いて自由形式の質問を入力することもできる。どの場合にも、異なるサーチ基準を、別の基準とは別個に、又は、共に用いて、コンテンツ・サーチを絞り込むことができる。例としては、「タイタニック」とキーワードとして、「ドキュメンタリ」を番組タイプとして、自由形式の質問としては「どの会社がタイタニックを作ったのか」を入力することができる。
【００４５】
ユーザは、ユーザ端末２０２と相互作用して、限定的ではないが、図１２に示されているものを含むような複数のユーザ入力装置２１４の中の１又は複数を用いて、サーチ・パラメータを入力する。ユーザ入力装置２１４には、キーボード２２０、キーパッド２２１、マウス又はジョイスティック２２２、ハンドヘルド・コンピュータ２２３、タッチ・スクリーン・タブレット２２４、ハンドヘルド遠隔制御装置２２５、ユーザ端末音声認識システム２１９、入力装置音声認識システム２２６及び電子書籍リーダ２３０などが含まれる。
【００４６】
番組コンテンツは、複数の方法で配送が可能であり、ユーザは、また、複数の方法で番組を消費することができる。オーディオ及び／又はビデオ・コンテンツは、番組を含むデータ・ストリーム又はファイルのインターネット配送の間と同じく、ケーブルテレビ・システムを介したブロードキャスト配送の場合には、配送を同時に見る及び／又は聴くことができる。また、ユーザは、ユーザが配送の間にコンテンツを消費するかどうかとは関係なく、コンテンツが配送されるのと同時にコンテンツを記憶することができ、よって、配送の間でも後の時点でもユーザ端末２０２におけるコンテンツの非線形な再生が可能になる。非線形の再生は、ユーザが、ビデオ又はオーディオ・コンテンツの再生を停止、開始、一時停止（ポーズ）、巻き戻し、低速化、高速化をすることができるということである。ある実施例では、番組は、システム２００から、番組を消費するのに要するよりも短い時間で配送され、それ以後の任意の時点でユーザ・ローカル・ストレージ２１２にセーブされる。リアルタイムのブロードキャストの場合には、記憶方法は、ビデオ・カセット・レコーダなどのオーディオ／ビデオ記録システム２０９を用いて、磁気テープに記憶されるか、又は、コンピュータのハードディスク・ドライブ又はそれ以外のデジタル・データ記憶媒体などのデジタル・ファイルとして、ユーザ・ローカル・ストレージ２１２に記憶することができる。いったんユーザが多数の番組をユーザ・ローカル・ストレージ２１２に記憶すると、ユーザ端末２０２は、オーディオ・ビデオ・ライブラリの収集状態に類似する一連の単純なＧＵＩを介して、ユーザがコンテンツを記憶及び構成することができるようにする。ストレージ管理は、ユーザの定義によるか予め設定しておくか、それとも両方を用いて、自動化することができる。（著作権デジタル・オーディオ−ビジュアル・カウンシル（ＤＡＶＩＣ）による、ＤＡＶＩＣの１．５仕様の、いつでもＴＶどこでもＴＶ（TV Anytime and TV Anywhere）の改訂６．０を参照のこと。これは、この出願において援用する。同時的な視聴及び記憶、非線形再生、非リアルタイム配送、コンテンツ記憶及び管理などについては、これを参照のこと。）
【００４７】
ある実施例では、ユーザ端末２０２は、セットトップ端末２０６、パーソナル・コンピュータ端末２１１又はそれらの組合せとして構成されているかどうかとは関係なく、ユーザの家庭で機能するホーム・ネットワーク２２９の中に統合することができる。これにより、家の中の多くのノードで番組コンテンツを消費することが可能になる。ここで多くのノードとは、ビデオ表示システム２０７の様々な組合せを有する補助的なユーザ端末及び／又はパーソナル・コンピュータと、オーディオ再生システム２０８と、オーディオ／ビデオ記録システム２０９などで構成されている。主要なユーザ端末２０２は、他のネットワーク・ノードからの番組サーチ及びダウンロード・リクエストと、後続のダウンロードされた番組とを、イーサネット（登録商標）ネットワークなどのベースバンド・ビデオ・ネットワーク又はデジタル・データ・ネットワークのいずれかのリクエスト側のノードにルーティングする。補助的なノードは、このシステムを制御するユーザ入力装置２１４の組合せを有しており、番組リクエストとダウンロードとを開始する。ある実施例では、ハンドヘルド遠隔制御装置２２５が、無線周波数伝送を用いて、主要ユーザ端末２０２を遠隔位置から制御して、番組を遠隔ビデオ表示システム２０７に配送する。
【００４８】
いったんダウンロード・リクエストが処理され認証されると、コンテンツ・ダウンロード・リクエスト・プロセスは、認証された遠隔ダウンロード・リクエスト・フォーム７６８か、又は、認証されたローカル・ダウンロード・リクエスト・フォーム７６９かのいずれかを作成し、その認証されたダウンロード・リクエストをコンテンツ配送サーバ４５０に送り、このコンテンツ配送サーバ４５０は、図９Ａ、９Ｂ及び９Ｃに示されている基本的なコンテンツ配送プロセス８００を用いて、コンテンツの配送を実現する。認証された遠隔ダウンロード・リクエスト・フォーム７６８、又は、認証されたローカル・ダウンロード・リクエスト・フォーム７６９が受信されているので、コンテンツ配送サーバ４５０は、ルーチン８０１で、そのリクエストがローカルであるのか遠隔であるのかを判断し、そのリクエスト・フォームを適切にルーティングする（遠隔リクエストに対してはルーチン８０２、ローカル・リクエストに対してはルーチン８１９）。
【００４９】
リクエストが遠隔的に充足される場合には、ルーチン８０２の実行により、メッセージは遠隔コンテンツ・サーバ２０４に伝送され、番組コンテンツの配送が開始される。ルーチン８０３では、ダウンロード・リクエストが解析され、遠隔コンテンツ・サーバ２０４は、コンテンツがアグリゲータ２０１を介して戻されることなく直接にユーザに配送されることが可能かどうかを判断する。コンテンツが、ユーザに直接に配送されるように指定されていない場合には、ルーチン８０４が実行され、これにより、ネットワーク・ゲートウェイ２５１を経由してのメイン・コンテンツ取得サーバ４００との通信リンクが確立され、リクエストされた番組の伝送が開始される。リアルタイムで放送されている番組の場合には、その番組は、様々な遠隔ストリーミング・ソース２５９からのオーディオ／ビデオ・ストリームの形式で存在することができる。リアルタイムではない番組は、遠隔コンテンツ・ストレージ２５８から配送された圧縮されたオーディオ／ビデオ・ファイルの形式で存在しうる。コンテンツ配送プロセスが開始すると、ルーチン８０６の開始により、コンテンツ・メタデータを解析して番組がアグリゲータ・ローカル・ストレージ２５４に記憶されるべきかどうかを判断するシステム・アドミニストレータ５００でのプロセスが開始される。システム・アドミニストレータ５００は、限定されないが、例えば、番組がスポーツ・イベントなどのライブ・イベントであるのか将来にダウンロードのリクエストがあるであろう音楽コンサートであるのかというような事情に基づき、特定の番組をローカルに記憶すべきかどうかを判断する。あるいは、番組はローカルには記憶されず、現時点でのリクエストは、遠隔からの配送を要求するコンテンツをリクエストしている所定の数のユーザを表すこともある。
【００５０】
遠隔コンテンツ・サーバ２０４から配送されている番組がアグリゲータ・ローカル・ストレージ２５４に記憶される場合には、番組メタデータが解析され（ルーチン８０７）そのコンテンツがローカルな記憶のための適切なフォーマットで存在しているかどうかが判断される。アグリゲータ２０１は、ユーザに配送される番組コンテンツの最高品質と利用可能な記憶空間とを均衡させる１又は複数の特定のフォーマットでコンテンツを記憶するように構成することができる。ある実施例では、選択された記憶フォーマットの中の１又は複数が、システム・ユーザへの高速での配送をサポートするのと同時に、アグリゲータ・ローカル・ストレージ２５４の資源をもっとも効率的に利用することができる。コンテンツがローカルな記憶のために求められるフォーマットの要件を満たしていると判断されると、処理は、ルーチン８１０に進む。コンテンツがフォーマットの要件を満たしていない場合には、コンテンツ・ストリーム及び／又はファイルは、復号器及びコンテンツ・フォーマッタ２５２にルーティングされる（ルーチン８０８）。ルーチン８０９では、復号器及びコンテンツ・フォーマッタ２５２が、入来データを復号化し、コンテンツとそのメタデータとを表すデジタル及び／又はアナログ・データを抽出する。復号器及びコンテンツ・フォーマッタ２５２は、次に、コンテンツを、ローカルな記憶のために要求されるフォーマット及び符号化方式に再フォーマットする。記憶ルーチン８１０が実行されると、適切にフォーマットされた番組コンテンツがアグリゲータ・ローカル・ストレージ２５４
、に記憶される。そして、コンテンツの処理及び新しいロケーションは、アグリゲータ・
ローカル・データベース５０１に記録される。
【００５１】
コンテンツがローカルに記録されようとされまいと、ルーチン８１１は、番組コンテンツのメタデータを解析し、このコンテンツがユーザへの配送に適したフォーマット及び符号化方式であるかどうかを判断する。配送のためのフォーマット及び符号化方式は、ローカルな記憶のために用いられるものとは異なる場合があるが、それは、ユーザのダウンロード・リクエストの特定のパラメータに合わせるためである。ユーザは、限定的ではないが、再生の方法、番組のタイプ、ユーザがそのコンテンツを記憶することを望むかどうか、ユーザ端末２０２がアグリゲータ２０１又は遠隔コンテンツ・サーバ２０４まで有している接続のタイプや帯域幅などを含む考慮に従って、特定のフォーマット及び符号化方式をリクエストすることがある。コンテンツがユーザへの配送のためのフォーマットの要件を満たしていると判断されると、処理はルーチン８１４に進む。コンテンツがフォーマット基準を満たしていない場合には、コンテンツ・ストリーム及び／又はファイルは、要求されているフォーマット及び符号化パラメータと共に、ルーチン８１２によって、復号器及びコンテンツ・フォーマッタ２５２までルーティングされる。ルーチン８１３では、復号器及びコンテンツ・フォーマッタ２５２は、入来データを復号化し、コンテンツとそのメタデータとを表すデジタル及び／又はアナログ・データを抽出する。復号器及びコンテンツ・フォーマッタ２５２は、次に、コンテンツを、ユーザへの配送のために要求されるフォーマット及び符号化方式に再フォーマットする。処理は、次に、配送のためのルーチン８２３に進むが、これについては、処理経路が遠隔及びローカルの両方のコンテンツ配送に共通になってから、後述する。
【００５２】
図９Ａのブロック８０３に戻ると、番組コンテンツがユーザ端末へ直接に配送されるというように指定されている場合には、遠隔コンテンツ・サーバ２０４は、ユーザ端末２０２との通信リンクを確立し（ルーチン８１５）、ユーザ端末２０２に向けて直接に、コンテンツ・ファイルを配送するか、又は、番組をブロードキャストする（ルーチン８１６）。ルーチン８１６で配送の完了が確認された後で、ルーチン８１７は、遠隔サーバ・データベース２６０に配送の完了を記録し、アグリゲータ２０１におけるコンテンツ取得サーバ４００に、リクエストされた番組コンテンツは、成功裏のうちにユーザまで配送されたことを告知する。そして、処理は、システム・アドミニストレータ５００に移動する（ルーチン８２８）が、これについては、処理経路がそれぞれの配送タイプについて共通になったときに後述する。
【００５３】
番組ダウンロード・リクエストがローカル・アグリゲータ２０１によって充足される場合には、ルーチン８０１の実行により、処理は、コンテンツ配送サーバ４５０のローカル・コンテンツ・リクエスト・プロセッサ４５１におけるルーチン８１９に進む。ここでは、番組コンテンツのメタデータが解析され、コンテンツがユーザに配送されるのに適したフォーマット及び符号化方式であるかどうかが判断される。コンテンツがユーザへの配送のためのフォーマット要件を満たさない場合には、処理は、ルーチン８２２に進む。フォーマット及び符号化方式が適切である場合には、ルーチン８２０の実行により、アグリゲータ・ローカル・ストレージ２５４又は適切なローカル・ストリーミング・ソース２６２からの番組コンテンツがリトリーブされ、その番組は、要求されるフォーマット及び符号化パラメータと共に、復号器及びコンテンツ・フォーマッタ２５２にルーティングされる。ルーチン８２１では、復号器及びコンテンツ・フォーマッタ２５２は、入来データを復号化して、コンテンツとそのメタデータとを表すデジタル及び／又はアナログ・データを抽出する。復号器及びコンテンツ・フォーマッタ２５２は、次に、コンテンツを、ユーザへの配送のために要求されるフォーマット及び符号化方式に再フォーマットする。ルーチン８２２の実行により、ローカル・ソースから直接の場合でも復号器及びコンテンツ・フォーマッタ２５２からの場合でも、適切に符号化されフォーマットされた番組コンテンツ・ファイル及び／又はストリームを取り出し、このコンテンツを、コンテンツ配送サーバ４５０にルーティングする。
【００５４】
ルーチン８２３の実行により、番組コンテンツがローカル・アグリゲータ２０１によって、遠隔ソースから配送されるかローカル・ソースから配送されるかとは関係なく、コンテンツ配送サーバ４５０は、ユーザのプロフィール情報とコンテンツ・メタデータとを解析し、適用可能であれば、デジタル権利管理（ＤＲＭ）プロセッサ４５４に、適切なＤＲＭ方式をそのコンテンツ配送に適用するように命令する。ＤＲＭ方式が配送のための番組コンテンツの暗号化に関係する場合には、番組コンテンツは暗号化プロセッサ４５５にルーティングされ、暗号化プロセッサ４５５は、適切なユーザ暗号化鍵を用いる暗号化アルゴリズムを経由してデジタル・コンテンツ・データを処理し、暗号化されたデータをコンテンツ配送サーバ４５０に戻す。
【００５５】
コンテンツ配送サーバ４５０は、次に、メタデータとユーザ情報とをルーチン８２４で解析し、適用可能である場合には、広告プロセッサ４５６に、適切な任意の広告を配送の中に組み入れるように命令する。この広告は、次に、アグリゲータ・ローカル・データベース５０１からリトリーブされ、番組コンテンツの配送と共にパッケージングされる。ある実施例では、広告プロセッサ４５６は、特定の広告を記憶のためにユーザ端末２０２に既に配送しておき、これをユーザ・データから判断すると、ユーザ端末２０２にその広告を適切な時点でリトリーブして表示するように命令する広告のためのプレースホルダを挿入する。
【００５６】
ルーチン８２５が実行されると、コンテンツ配送サーバ４５０は、通信サーバ２５０に、広域流通システム２０３を介してユーザ端末２０２との通信リンクを確立するように命令し、コンテンツ受信プロセス８５０が開始される。コンテンツ配送プロセッサ４５３は、コンテンツを、通信サーバ２５０と広域流通システム２０３とを介して、ユーザ端末２０２まで配送する（ルーチン８２６）。ルーチン８２７の実行により、番組コンテンツのユーザへの正確な配送が確認され、配送が完了すると、成功した配送をシステム・アドミニストレータ５００に記録する。コンテンツの配送は、ブロードキャスト番組やライブの又は予定された番組ストリームの場合にはリアルタイムで行われ、コンテンツが、リアルタイムでの視聴よりも高速又は低速で配送され、ユーザによって選択された時間に再生されるようにユーザ端末２０２によって記憶されるような場合には、非リアルタイムでなされる。（同時視聴及び記憶、非線形再生、非リアルタイム配送並びにコンテンツ記憶及び管理についてのこれ以上の詳細については、著作権デジタル・オーディオ−ビジュアル・カウンシル（ＤＡＶＩＣ）による、ＤＡＶＩＣの１．５仕様の、いつでもＴＶどこでもＴＶ（TV Anytime and TV Anywhere）の改訂６．０を参照のこと。これは、この出願において援用する。）
【００５７】
番組がローカル・アグリゲータ２０１によって配送されても、遠隔コンテンツ・サーバ２０４によって配送されても、処理は、システム・アドミニストレータ５００におけるルーチン８２８に進み、そこでは、ユーザ・プロフィールとコンテンツ・メタデータとが解析されて、ユーザが課金されるのか、それとも、コンテンツ・プロバイダがコンテンツ配送に対して料金を負担するのかが、判断される。請求の必要がない場合には、ルーチン８２９で処理は終了する。課金又は料金が適用可能である場合には、ルーチン８３０が、ユーザ情報と、適切なコンテンツ・メタデータと、コンテンツ・プロバイダ情報とをシステム・アドミニストレータ５００にルーティングし、システム・アドミニストレータ５００は、このデータをルーチン９００によって表されている課金プロセスに入力する。
【００５８】
配送の前に、コンテンツを適切なデジタル符号化方式、圧縮及びファイル・フォーマットでユーザに配送することが要求される場合には、番組コンテンツは、符号器及びコンテンツ・フォーマッタ２５３によって処理される。符号器及びコンテンツ・フォーマッタ２５３は、既存の伝送能力を向上させるために、デジタル圧縮技術を用いる。現在、多数のデジタル圧縮アルゴリズムが存在しているし、能力を結果的に改善しシステム２００に要求される信号品質を向上させるようなアルゴリズムが将来に開発される可能性もある。これらのアルゴリズムでは、一般的に、３つの基本的なデジタル圧縮技術の中の１又は複数を用いている。すなわち、（１）フレーム内（イントラフレーム）圧縮、（２）フレーム間（フレーム・ツー・フレーム）圧縮、そして、（３）キャリア内圧縮又は２以上の技術の組合せである。コンテンツ・サーチ、パッケージング及び配送システム２００の符号器及びコンテンツ・フォーマッタ２５３は、好ましいと判断される任意の開発されつつある及び将来の技術を含むようにモジュールとしての能力を向上させることができるのに加え、これらの技術の中の任意の１つ又は２以上の組合せを用いることができる。
【００５９】
ある実施例では、配送システム２００のためには１つのデジタル圧縮標準しか用いられないが、番組を特定の番組をリクエストしているユーザに配送するときに、異なるレベルの圧縮を用いることができる。例えば、番組がＨＤＴＶフォーマットを用いて送られる場合には、標準的なビデオ・フォーマットを用いて番組を送出する場合よりも、小さな圧縮率が用いられる。この理由は、ＨＤＴＶフォーマットは、コンテンツの部分ごとにより多くのデジタル・データを必要とするからである。ＨＤＴＶフォーマットは、より多くのデジタル・データを必要とするから、伝送により多くの帯域幅を必要とし、配送コストを上昇させる可能性がある。従って、配送されるビデオの質は、システム２００のユーザに課金される料金に応じて可変でありうる。
【００６０】
図１０には、コンテンツ・サーチ、パッケージング及び配送システム２００のコンテンツ取得及びコンテンツ配送機能を強調するアグリゲータ２０１の別の実施例のコンポーネント・システムが示されている。アグリゲータ２０１のこの実施例では、遠隔コンテンツの取得は、コンテンツ取得システム４０５によって実行され、システム・ユーザのコンテンツの配送は、通信システム２８０と共に機能するコンテンツ配送システム４６０によって達成される。また、アグリゲータ２０１のこの実施例では、広域ネットワーク／インターネット２０５を経由してネットワーク・ゲートウェイ２５１（図４）に接続された１又は複数の遠隔コンテンツ・サーバ２０４と遠隔データベース２６１とが、遠隔コンテンツ・ソース４１０に含まれうる。アグリゲータ・ローカル・ストレージ２５４とローカル・ストリーミング・ソース２６２とが、ローカル・コンテンツ・ソース４７０に含まれることもある。図１０には示されていないが、ユーザ端末２０２は、ユーザ端末プロセッサ２２７と、チューナ２２８と、デマルチプレクサ２３１と、ユーザ・ローカル・ストレージ２１２と、ユーザ・ローカル・データベース２１３との中の１又は複数を含む（図４を参照）。ユーザ端末２０２は、図４に示されているように、ユーザ入力装置２１４と、ビデオ表示システム２０７と、オーディオ／ビデオ再生システム２０８と、オーディオ／ビデオ記録システム２０９と、電子書籍リーダ２３０とを含む入力及び出力システム２３３とホーム・ネットワーク２２９とに結合されうる。図４に示されている復号器及びコンテンツ・フォーマッタ２５２と符号器及びコンテンツ・フォーマッタ２５３とは、機能、ソフトウェア構成及び／又はハードウェア構成において同様又は同一である。ある実施例では、復号器及びコンテンツ・フォーマッタ２５２と符号器及びコンテンツ・フォーマッタ２５３とは、図１０に示されているコデック及びコンテンツ・フォーマッタ２７０によって表される単一のサブシステムによって実現されている。別の実施例では、復号器及びコンテンツ・フォーマッタ２５２と符号器及びコンテンツ・フォーマッタ２５３とは、それぞれが、１又は複数のコデック及びコンテンツ・フォーマッタ２７０を含むこともある。
【００６１】
図１１は、コンテンツ取得システム４０５のコンポーネントを示しており、コンテンツ取得サーバ４００と、１又は複数のコンテンツ取得ルータ４０６と、１又は複数のコンテンツ取得受信機システム４０８とを含む。図１１は、また、コンテンツ取得システム４０５がコンテンツ・サーチ、パッケージング及び配送システム２００の一部として相互作用するコンポーネントを示している。１又は複数のコンテンツ取得受信機システム４０８は、更に、１又は複数の取得受信機４１１と、取得復調器４１２と、取得デマルチプレクサ４１３とで構成されうる。コンテンツ取得サーバ４００は、図６に示されたのと同じコンポーネントで構成され、先に図６を参照して説明したのと同じ機能を実行するが、１又は複数のコンテンツ取得ルータ４０６と、コンテンツ取得受信機システム４０８の１又は複数のコンポーネントとのインターフェースを有し、それらを制御し、コンテンツ配送システム４６０と１又は複数の遠隔コンテンツ・ソース４１０のシステムと通信する点が追加される。コンテンツは、広域ネットワーク／インターネット２０５に接続された他の類似するアグリゲータ・システムから、及び／又は、様々な遠隔通信チャネル４０９の中の１又は複数を介して、取得され、図１１に示されているように、遠隔アグリゲータシステム２４０として指定される。また、後述するが、コンテンツ取得サーバ４００は、広域ネットワーク／インターネット２０５に接続されたネットワーク・ゲートウェイ２５１を介して遠隔コンテンツ・サーバ２０４から、及び／又は、様々な遠隔通信チャネル４０９の中の１又は複数を経由して、コンテンツを取得する。別の遠隔コンテンツソースは、様々な番組コンテンツを統合し、同軸ケーブル・システムや１又は複数の遠隔通信チャネル４０９を含む他の適切な手段を経由して、コンテンツ取得受信機システム４０８に接続されている１又は複数の遠隔ケーブルテレビ・ヘッドエンド４２１でありうる。遠隔コンテンツ・ソース４１０は、１又は複数の遠隔統合システム４１５と、遠隔コンテンツ・サーバ２０４と、遠隔アグリゲータ・システム２４０と、遠隔ケーブルテレビ・ヘッドエンド４２１とを含む。
【００６２】
コンテンツ取得受信機システム４０８は、１又は複数の遠隔コンテンツ統合システム４１５から、１又は複数の遠隔通信チャネル４０９を経由して、及び／又は、ネットワーク・ゲートウェイ２５１と広域ネットワーク／インターネット２０５とを経由して、遠隔コンテンツを受け取る。遠隔コンテンツの受信は、コンテンツ取得サーバ４００によって、１又は複数の遠隔コンテンツ統合システム４１５、１又は複数の遠隔コンテンツ・サーバ２０４、１又は複数の遠隔アグリゲータ・システム２４０、及び／又は、１又は複数の遠隔ケーブルテレビ・ヘッドエンド４２１へ伝送されるコンテンツ・ダウンロード・リクエストに応答する。遠隔通信チャネル４０９は、様々な通信経路、及び／又は、１又は複数のコンテンツ取得受信機システム４０８を１又は複数の遠隔コンテンツ・ソース４１０に接続する通信システムを含む。遠隔通信チャネル４０９は、マイクロ波システム、衛星システム、光システム、広域ネットワーク及び／又はインターネット、同軸ケーブル・システム、電話システム、ワイヤライン・システム、及び／又は、無線システムの中の１又は複数、又は、２つ以上の組合せを含む。
【００６３】
遠隔通信チャネル４０９は、遠隔コンテンツ・ソース４１０からの希望するコンテンツをコンテンツ取得システム４０５に伝送することができる任意の通信インフラストラクチャ・システムを含む。これは、コンテンツが、アナログ及び／又はデジタル・オーディオ、アナログ及び／又はデジタル・ビデオ、マルチメディア・データ、テキスト・データ、又は、コンテンツ・サーチ、パッケージング及び配送システム２００と互換性を有する他のコンテンツ・タイプ又はフォーマットであるかどうかは問わない。遠隔通信チャネル４０９は、コンテンツ取得システム４０５を、１又は複数の遠隔コンテンツ・ソース４１０、及び／又は、大きな地理的領域にわたって流通させることができる遠隔コンテンツ・ソース４１０の集合体に接続する。遠隔コンテンツ・ソース４１０の任意の特定のグループは、図１１に含まれている指示されたシステムの中のただ１つを含むか、又は、指示されたシステムの２つ以上の任意の組合せを含む。遠隔通信チャネル４０９をサポートするシステムは、まだ開発されていない伝送プロトコル及び方法をサポートできるようにスケーラブルであり、要求に応じて動的な割当てが可能である。コンテンツ取得サーバ４００から１又は複数の遠隔コンテンツ・ソース４１０へのコンテンツ・リクエスト及び管理データの伝送は、図１１に示されているように、広域ネットワーク／インターネット２０５を経由してネットワーク・ゲートウェイ２５１によってサポートされるチャネルを介するものであるか、又は、遠隔通信チャネル４０９の１又は複数と同じ通信経路を占有する１又は複数の制御及びデータ・チャネルを介するものである。例えば、コンテンツ取得サーバ４００は、リクエスト及び結果処理サーバ３００から、遠隔コンテンツ統合システム４１５の１つから入手可能なコンテンツのダウンロードを求める利とを受け取り、認証及びコンテンツ識別情報を、インターネット接続を用いて、遠隔コンテンツ統合システム４１５に伝送することができる。遠隔コンテンツ統合システム４１５は、すると、リクエストされたコンテンツ・データを、衛星又は光ファイバ通信リンクなどのブロードバンド伝送チャネルを含む遠隔通信チャネル４０９を介して、コンテンツ取得受信機システム４０８に伝送することによって、このリクエストを充足する。
【００６４】
特定のユーザ・リクエストに基づいて１又は複数の遠隔コンテンツ・ソース４１０からコンテンツ・データを受け取ることに加えて、遠隔コンテンツ・データは、予定に基づいて及び／又は連続的に、コンテンツ取得システム４０５に伝送することができる。例えば、あるスポーツ・チームによるそれぞれの試合が、コンテンツ取得システム４０５に配送されるように予定することができるし、及び／又は、ある地域的なブロードキャスト・スポーツ・チャネルをコンテンツ取得システム４０５に連続的に伝送することもできる。
【００６５】
遠隔コンテンツ・サーバ２０４は、上述し図４及び図１１に示されているように、広域ネットワーク／インターネット２０５とネットワーク・ゲートウェイ２５１とを介して、遠隔ストリーミング・ソース２５９と遠隔コンテンツ・ストレージ２５８とからのコンテンツ・データを、コンテンツ取得サーバ４００に提供することができる。更に、１又は複数の遠隔アグリゲータ・システム２４０は、広域ネットワーク／インターネット２０５とネットワーク・ゲートウェイ２５１とを経由して、様々なソースからのコンテンツを提供することができる。ある実施例では、遠隔コンテンツ・サーバ２０４と遠隔アグリゲータ・システム２４０とは、遠隔通信チャネル４０９の１又は複数を介して伝送される１又は複数のデジタル・プロトコルを用いて、コンテンツを、コンテンツ取得受信機システム４０８に提供することができる。別の実施例では、遠隔コンテンツ・サーバ２０４は、１又は複数のオーディオ及び／又はビデオ再生サーバを含むこともある。
【００６６】
図１１には、１又は複数のコンテンツ取得受信機システム４０８によって遠隔ソースから受け取られるコンテンツを含む信号は、まず、１又は複数の取得受信機４１１に送られる。この取得受信機４１１は、１又は複数の通信チャネルから電子信号を受け取り、その信号を１又は複数の取得復調器４１２にルーティングする。取得復調器４１２は、受け取られた電子信号に対して作用し、１又は複数の復調方式を用いて１又は複数の復調されたキャリアからのアナログ及び／又はデジタル・コンテンツ・データ・ストリームのフィルタリングを行う。復調された信号は、次に、１又は複数のマルチチャネル・ストリームから、コンテンツ・データの基本ストリーム又は個々のチャネルを分離する。コンテンツ・データ・ストリームは、次に、１又は複数のコンテンツ取得ルータ４０６に送られ、必要に応じて、１又は複数のコデック及びコンテンツ・フォーマッタ２７０及び／又はコンテンツ配送サーバ４５０にルーティングされる。コンテンツ取得サーバ４００は、コンテンツ取得受信機システム４０８の１又は複数のサブシステムを管理し制御する。ある実施例では、コンテンツ取得受信機システム４０８の中のコンポーネントによって実行される２つ以上の機能が、１つの装置又は装置群の内部で実行され、コンテンツ受信プロセスのそれぞれのステップ又は機能を実行するのに離散的なコンポーネントが不要になる。コンテンツ取得サーバ４００は、コンテンツ取得受信機システム４０８の１又は複数のサブシステムと通信し、利用可能なコンテンツ取得受信機システム４０８のリソースを識別及び管理し、コンテンツ取得受信機システム４０８のハードウェア及び／又はソフトウェアの受信、復調及びデマルチプレクス動作のためのパラメータを構成し、コンテンツ取得受信機システム４０８が様々なソースからのコンテンツを受信し復調しデマルチプレクスするのに必要なルーティング情報と動作パラメータとを伝送する。コンテンツ取得サーバ４００は、また、１又は複数のコンテンツ取得ルータ４０６と通信し、コンテンツ取得受信機システム４０８の様々なサブシステムと１又は複数のコデック及びコンテンツ・フォーマッタ２７０及び／又はコンテンツ配送システム４６０の中に含まれるコンテンツ配送サーバ４５０の適切なサブシステムとの間でのコンテンツ・データの伝送のためのルーティング接続パラメータ及び経路を伝送する。
【００６７】
コンテンツ取得サーバ４００は、１又は複数のコンテンツ取得ルータ４０６を用いて、図１１に示された様々なサブシステムの間でのコンテンツ・データの伝送のための論理的及び／又は物理的回路接続を動的に確立する。コンテンツ取得ルータ４０６は、コンテンツ取得サーバ４００の命令の下で動作して１又は複数の受信、復調及び／又はデマルチプレクス動作をサポートするコンテンツを伝送するのに要求されるサブシステムの間の相互接続を確立し管理する。図１１には、サブシステムの間の相互接続がいくつか２つの接続線とこれらの２つの線の間の一連の点とによって、示されている。このような慣行は、サポート図面のいくつかで用いられており、任意の時点で１又は複数の接続されたサブシステムの間に１又は複数の接続又は回路が存在し、２つの接続されたサブシステムの間の接続の数は変動するということを示している。接続又は回路のそれぞれの接続は、ソフトウェア及び／又はハードウェア・モジュールの間の１若しくは複数の論理的及び／又は１若しくは複数の物理的接続を含む。アナログ・コンテンツの伝送に必要となる物理的なルーティング構成は、回路スイッチング装置、マトリクス・スイッチ、配分増幅器、信号スプリッタ、入力及び出力ポート、パッチ・ベイなど、産業標準及び／又はカスタムのコンポーネントを用いて達成することができる。デジタル・コンテンツの伝送に必要となる論理的なルーティングは、コンテンツ取得サーバ４００及び／又はシステム・アドミニストレータ５００によってコンテンツ・サーチ、パッケージング及び配送システム２００の一部としてサポートされる１又は複数のローカル・エリア・ネットワーク上で動作する１又は複数のデジタル・パケット・トランスポート・プロトコルを用いて、達成することができる。ある実施例では、コンテンツ取得ルータ４０６の機能は、１又は複数のサブシステムによって実現され、コンテンツ取得システム４０５の機能的及び／又は物理的に外部にあり、アグリゲータ２０１のサブシステム（図４には図示せず）でありうる。別の実施例では、コンテンツ取得ルータ４０６の機能は、１又は複数のサブシステムによって実現され、アグリゲータ２０１に対して機能的及び／又は物理的に外部にあり、よって、アグリゲータ２０１とそのサブシステムとは、外部インターフェース（図４には図示せず）を介して、コンテンツ取得ルータ４０６又は同等のシステムに接続する。接続と、コンテンツ取得システム４０５の内部とコンテンツ取得システム４０５の外部との両方にあるそのような接続の論理的及び物理的ルーティング経路とは、より少数又はより多数のコンテンツ経路に適応する必要に応じて、また、任意の時点において要求される様々なソース及び目的地の組合せに適応する必要に応じて変動する。これらの経路は、コンテンツ取得サーバ４００によって要求ベースで作成又は修正され、また、受信、復調及び／又はデマルチプレクス動作より前に及び／又は間に、修正することができる。
【００６８】
コンテンツ取得システム４０５によって受け取られる遠隔コンテンツが配送及び／又は記憶のために適切なフォーマットを有していない場合には、コンテンツは、適切な処理のためにコデック及びコンテンツ・フォーマッタ２７０にルーティングされる。コデック及びコンテンツ・フォーマッタ２７０は、「Video and Digital Multimedia Aggregator Content and CodingFormatting」と題されている同日に出願され同時出願中の米国特許出願においてより詳細に説明されている。コンテンツ取得システム４０５によって受け取られた遠隔コンテンツが配送及び／又は記憶のために適切なフォーマット及び／又は符号化方式を有している場合には、１又は複数の遠隔コンテンツ及び／又は遠隔的に取得されたコンテンツを含むトランスポート・ストリームは、エンドユーザへの配送及び／又はアグリゲータ・ローカル・ストレージ２５４への記憶のために、コンテンツ配送システム４６０に適切にルーティングされる。
【００６９】
図１２に詳細に示されている遠隔コンテンツ統合システム４１５は、システム・ユーザのリクエスト、特定の番組予定、及び／又は、コンテンツ・ソースの識別子又は性質に基づいて、１又は複数のアグリゲータ２０１システムへの伝送のために、特定の地理的地域内の様々なコンテンツ・ソースの中の１又は複数を、受け取り統合する。ある実施例では、１又は複数のコンテンツ取得システム４０５は、１又は複数の様々な遠隔通信チャネル４０９を介して、１又は複数の地理的に分散されている遠隔コンテンツ統合システム４１５に接続される。遠隔コンテンツ統合システム４１５は、１又は複数の遠隔番組ソース４１６と、１又は複数の番組受信機４２５と、遠隔コンテンツ・ルータ４３２と、１又は複数の遠隔通信チャネル４０９に接続された１又は複数の遠隔コンテンツ伝送システム４４０と、遠隔コンテンツ制御プロセッサ４３５とを含むサブシステム及びコンポーネントの様々な組合せを含む。遠隔コンテンツ統合システム４１５の多くの構成は、サブシステム及びコンポーネントの代表的な集合及び構成を示している図１２のサブシステム及びコンポーネントと共に存在する。「統合システム」というのは、コンテンツをアグリゲータ２０１システムに提供する任意のコンテンツ集合及び再伝送システムに適用される一般的な用語である。最小では、統合システム４１５は、１つの遠隔番組ソース４１６と、遠隔通信チャネル４０９に接続された１つの遠隔コンテンツ伝送システム４４０とで構成できる。
【００７０】
遠隔番組ソース４１６は、これらに限定されないが、１又は複数の遠隔テレビ及びラジオ・ソース４１７と、遠隔衛星ソース４１８と、遠隔マイクロ波ソース４１９と、遠隔オーディオ及びビデオ・スタジオ４２０と、遠隔物理媒体再生システム４２２と、を含みうる。遠隔番組受信機４２５は、限定的ではないが、遠隔オフエア受信機４２７、遠隔衛星受信機及び復号器４２８、遠隔マイクロ波受信機４２９、遠隔オーディオ／ビデオ・プロセッサ、ミキサ、及び／又は、ルータ４３０を含みうる。遠隔番組ソース４１６と遠隔番組受信機４２５との数とタイプとに応じて、遠隔コンテンツ統合システム４１５は、遠隔コンテンツ信号を、１又は複数の遠隔番組受信機４２５から、遠隔コンテンツ伝送システム４４０の１又は複数のコンポーネント及び／又はサブシステムにルーティング及び配分する遠隔コンテンツ・ルータ４３２を利用する場合と利用しない場合とがある。ある実施例では、遠隔コンテンツ統合システム４１５は、別個の遠隔コンテンツ・ルータ４３２を必要としないが、代わりに、１又は複数の遠隔番組受信機４２５の出力を、１又は複数の遠隔コンテンツ伝送システム４４０のコンポーネントの入力に直接に接続させる。遠隔番組ソース４１６と遠隔番組受信機４２５との数とタイプとにやはり応じて、遠隔コンテンツ統合システム４１５は、遠隔コンテンツ制御プロセッサ４３５を利用して、遠隔コンテンツ統合システム４１５の様々なコンポーネントとサブシステムとを構成し制御する。遠隔コンテンツ制御プロセッサ４３５は、遠隔コンテンツ伝送システム４４０と１又は複数の遠隔通信チャネル４０９とのサブシステム及び／又はコンポーネントを経由して、コンテンツ取得システム４０５に接続され、コンテンツ取得、統合及び伝送プロセスに関するデータを交換する。
【００７１】
遠隔コンテンツ伝送システム４４０は、これらに限定されないが、１又は複数の遠隔コンテンツ符号器４４１と、遠隔コンテンツ・マルチプレクサ４４２と、遠隔コンテンツ変調器４４３と、遠隔コンテンツ送信機４４５とを含みうる。遠隔コンテンツ伝送システム４４０の１又は複数のコンポーネントの入力は、遠隔コンテンツ・ルータ４３２からの、及び／又は、１又は複数の遠隔番組受信機４２５から直接の、１又は複数のコンテンツ・ファイル及び／又は遠隔コンテンツ・トランスポート・ストリームを受け取る。１又は複数の遠隔コンテンツ送信機４４５は、アグリゲータ２０１の中のコンテンツ取得システム４０５への伝送のために、１又は複数の遠隔通信チャネル４０９に接続される。１又は複数の遠隔コンテンツ符号器（エンコーダ）４４１は、１又は複数のコンテンツ・ファイル及び／又はコンテンツ・トランスポート・ストリームに作用して、１又は複数のプロプラエタリの及び／又は標準のフォーマット及び符号化方式を適用する。１又は複数の遠隔コンテンツ・マルチプレクサ４４２は、次に、２以上のコンテンツ信号に作用して、これらの信号を、１つのチャネル・キャリア上を伝送される単一の復号信号に多重化する。１又は複数のコンテンツ信号は、符号化及び／又は多重化とは無関係に、１又は複数の遠隔コンテンツ変調器４４３によって作用され、変調されて、１又は複数の遠隔通信チャネルの上を伝送するのに適切な１又は複数の中間及び／又はキャリア周波数になる。１又は複数の変調されたコンテンツ信号は、次に、適切な周波数変換及び／又は増幅のために、１又は複数の遠隔コンテンツ送信機４４５を介してルーティングされ、信号を１又は複数のコンテンツ取得システム４０５まで運ぶ１又は複数の遠隔通信チャネル４０９の上に注入される。ある実施例では、遠隔コンテンツ伝送システム４４０の中のコンポーネントによって実行される２つ以上の機能は、単一の装置又は装置群によって実行され、よって、送信システムのプロセスのそれぞれのステップ又は機能を実行するのに、離散的なコンポーネントは必要でない。
【００７２】
図１２に示されている遠隔番組ソース４１６の中では、遠隔テレビ及びラジオ・ソース４１７は、多数の地理的に分散している市場のどこでも利用可能な１又は複数のオフエア・ラジオ及び／又はテレビ放送を含む。遠隔衛星ソース４１８は、限定されないが、直接放送衛星（ＤＢＳ）システム、デジタル・オーディオ・ラジオ・サービス（ＤＡＲＳ）、１又は複数のラジオ及びテレビ配分サービスからの番組、ブロードキャスト・ネットワーク衛星フィード、臨時的使用ビデオ・フィード、遠距離教育及び／又は公共番組サービスなど衛星によって配分されるそれ以外の信号など、１又は複数のプロプラエタリな及び／又は標準的なフォーマット、を用いているコンテンツ・プロバイダからのオーディオ及び／又はビデオ信号を含む。遠隔マイクロ波ソース４１９は、オーディオ、ビデオ、及び／又は、ポイント間でマイクロ波ネットワークを介して配分されるデータ・サービスを含み、地域的なテレビなどの単一のコンテンツ信号を含み、又は、２以上のアナログ及び／又はデジタル・コンテンツ・ソース信号の多重化を含む。遠隔オーディオ及びビデオ・スタジオ４２０は、１又は複数の様々なラジオ・ベース及び／又はテレビ・ベースのスタジオや、１又は複数のデジタル及び／又はアナログ・コンテンツ・フィードを提供するそれ以外のオーディオ及びビデオ・スタジオを含む。遠隔スタジオ４２０は、スポーツ・イベント及び／又はニュース・イベントのカバレッジなどのライブでオンサイトの放送を含む。遠隔物理的媒体再生システム４２２は、限定されないが、磁気テープ、光ディスク、ビニール・レコード、映画フィルム及び番組コンテンツの記憶及び再生のためのそれ以外の未開発の媒体を含む物理媒体上に存在する番組を再生する様々なオーディオ及び／又はビデオ・システムを含む。遠隔オーディオ及びビデオ・スタジオ４２０からのコンテンツ・フィードは、伝送のためのコンテンツ要件を満たすソース・コンテンツのオーディオ及びビデオ信号に対して、様々な処理機能を実行する。オーディオ／ビデオ処理機能には、オーディオ・レベルの調整、オーディオ及び／又はビデオ信号の合成及び／又は分離、そして、ビデオの輝度及びクロミナンスの調整が含まれる。
【００７３】
図１３は、コンテンツ配送システム４６０のコンポーネントを示しており、コンテンツ配送サーバ４５０と、１又は複数のコンテンツ配送ルータ４６１と、１又は複数のコンテンツ配送受信機システム４６３とを含む。図１３は、また、コンテンツ配送システム４６０が、コンテンツ・サーチ、パッケージング及び配送システム２００の一部として相互作用するコンポーネントを示している。１又は複数のコンテンツ配送受信機システム４６３は、更に、１又は複数のローカル・オフエア受信機４６５、ローカル衛星受信機及び復調器４６６、ローカル・マイクロ波受信機４６７、ローカル・オーディオ／ビデオ・プロセッサ、ミキサと、及び／又は、ルータ４６８を含む。コンテンツ配送サーバ４５０は、図７に示されているのと同じコンポーネントを含み、図７を参照して上述したのと同じ機能を実行するが、１又は複数のコンテンツ配送ルータ４６１、１又は複数のコンテンツ配送受信機システム４６３、及び／又は、ローカル・コンテンツ・ソース４７５の１又は複数のコンポーネントとのインターフェースを有しこれらを制御する機能が追加されている。これらについては、図１４に詳細が示されている。
【００７４】
図１３では、１又は複数のコンテンツ配送受信機システム４６３によってローカル・コンテンツ・ソース４７５から受け取られたコンテンツを含む信号に、オーディオ、ビデオ及び／又はアグリゲータ２０１によって配送されうるそれ以外のコンテンツを含む１又は複数のベースバンド・コンテンツ・ファイル及び／又はデータ・ストリームを抽出する１又は複数のコンテンツ配送受信機システム４６３が作用する。次に、コンテンツ・データは、１又は複数のコンテンツ配送ルータ４６１に送られ、１又は複数のコデック及びコンテンツ・フォーマッタ２７０、コンテンツ配送サーバ４５０、及び／又は、通信システム２８０に、必要に応じて、ルーティングされる。コンテンツ配送サーバ４５０は、コンテンツ配送受信機システム４６３とローカル・コンテンツ・ソースとの１又は複数のサブシステムを管理し制御する。コンテンツ配送サーバ４５０は、コンテンツ配送受信機システム４６３の１又は複数のサブシステムと通信して、利用可能なコンテンツ配送受信機システム４６３のリソースを識別して管理し、コンテンツ配送受信機システム４６３のハードウェア及び／又はソフトウェア・モジュールを構成し、コンテンツ配送受信機システム４６３が様々なローカル・コンテンツ・ソース４７５からのコンテンツを受け取り、復調し、デマルチプレクスし、処理するのに必要なルーティング情報と動作パラメータとを伝送する。コンテンツ配送サーバ４５０は、ローカル・コンテンツ・ソース４７５の１又は複数のコンポーネントと通信して、所望のローカル・コンテンツ・データを識別してアクセスし、利用可能なローカル・コンテンツ・リソースを識別して管理し、ローカル・コンテンツ・ソース４７５のハードウェア及び／又はソフトウェア・モジュールを構成し、ルーティング情報と動作パラメータとを伝送する。コンテンツ配送サーバ４５０は、また、１又は複数のコンテンツ配送ルータ４６１と通信して、コンテンツ配送受信機システム４６３の様々なサブシステムと１又は複数のコデック及びコンテンツ・フォーマッタ２７０及び／又は通信システム２８０の適切なサブシステムとの間でコンテンツ・データを伝送するためのルーティング接続パラメータと経路とを伝送する。
【００７５】
コンテンツ配送システム４６０によってアクセスされたローカル・コンテンツが配送のために適切なフォーマット及び／又は符号化方式を有していない場合には、コンテンツは、適切な処理のために１又は複数のコデック及びコンテンツ・フォーマッタ２７０にルーティングされる。コデック及びコンテンツ・フォーマッタ２７０については、「Video and Digital Multimedia Aggregator Content and CodingFormatting」と題されている同日に出願され同時出願中の米国特許出願においてより詳細に説明されている。コンテンツ取得システム４６０によってアクセスされたローカル・コンテンツが配送のために適切なフォーマット及び／又は符号化方式を有している場合には、１又は複数の遠隔コンテンツ・ファイル及び／又はローカル・コンテンツを含むトランスポート・ストリームは、１又は複数のエンドユーザへの伝送のために、通信システム２８０に適切にルーティングされる。
【００７６】
１又は複数のシステム・ユーザに配送される１又は複数のコンテンツ・ファイル及び／又はコンテンツ・データ・ストリームは、コンテンツ配送サーバ４５０によって処理が指定され、デジタル権利管理、暗号化及び／又は広告などの他のサービスをコンテンツ・データに適用する。デジタル権利管理処理、暗号化及び／又は広告データの追加のために指定されたコンテンツは、システム・ユーザへの配送のために通信システム２８０にルーティングする前に、１又は複数のコンテンツ配送ルータ４６１によって、コンテンツ配送サーバ４５０にルーティングされる。コンテンツ配送サーバ４５０の内部では、これらのサービスは、図７を参照して上述したように、デジタル権利管理プロセッサ４５４、暗号化プロセッサ４５５及び／又は広告プロセッサ４５６によって、コンテンツ・データと統合され、コンテンツ・ソースがローカルであるか遠隔であるかとは関係なく、コンテンツに適用される。指定されたサービスが適用された後で、コンテンツ配送サーバ４５０は、処理されたコンテンツ・データを１又は複数のコンテンツ配送ルータ４６１にルーティングして戻し、通信システム２８０に送る。コンテンツ配送サーバ４５０は、メタデータ及び／又は適用されたサービスに関するそれ以外のユーザ情報を、コンテンツ・データと統合して、又は、別個に伝送されたファイル又はデータ・ファイルに組み入れて、通信システム２８０によって１又は複数のユーザ端末２０２に送る。
【００７７】
コンテンツ取得サーバ４００は、１又は複数のコンテンツ配送ルータ４６１を用いて、図１３に示されている様々なサブシステムの間でコンテンツ・データを伝送するために、論理的及び／又は物理的回路接続を動的に確立する。コンテンツ配送ルータ４６１は、コンテンツ取得サーバ４００の指示の下で動作して１又は複数の受信、復調及び／又はデマルチプレクス動作をサポートしてコンテンツを転送するのに必要なサブシステムの間での相互接続を確立し管理する１又は複数のハードウェア・システムと１又は複数のソフトウェア・モジュールとを含む。図１３では、サブシステムの間の相互接続のいくつかが、２つの接続線とこれら２つの線の間の一連のドットとして示されているが、これは、１又は複数の接続されたサブシステムの間には任意の時点で１又は複数の接続又は回路が存在していること、そして、２つの接続されたサブシステムの間の接続の数は変動するということを示している。接続又は回路のそれぞれの集合体は、ソフトウェア及び／又はハードウェア・モジュールの間の１又は複数の論理的な及び／又は１又は複数の物理的な接続を含む。アナログ・コンテンツの転送に必要となる物理的なルーティング構成は、回路スイッチング装置、マトリクス・スイッチ、配分増幅器、信号スプリッタ、入力及び出力ポート、パッチ・ベイなど、１又は複数の産業標準及び／又はカスタムのコンポーネントを用いて達成することができる。デジタル・コンテンツの転送に必要となる論理的なルーティングは、コンテンツ配送サーバ４５０及び／又はシステム・アドミニストレータ５００によってコンテンツ・サーチ、パッケージング及び配送システム２００の一部としてサポートされる１又は複数のローカル・エリア・ネットワーク上で動作する１又は複数のデジタル・パケット・トランスポート・プロトコルを用いて、達成することができる。接続と、そのような接続の論理的及び物理的ルーティング経路とは、より少数又はより多数のコンテンツ経路に適応する必要に応じて、また、任意の時点において要求される様々なソース及び目的地の組合せに適応する必要に応じて変動する。これらの経路は、コンテンツ配送サーバ４５０によって要求ベースで作成又は修正され、また、受信、復調及び／又はデマルチプレクス動作よりも前に、及び／又は間に、修正することができる。
【００７８】
図１４に示されるように、ローカル・コンテンツ・ソース４７５は、これらに限定されないが、１又は複数のローカル・テレビ及びラジオ・ソース４７７と、ローカル衛星ソース４７８と、ローカル・マイクロ波ソース４７９と、アグリゲータ・ローカル・ストレージ２５４に接続されうるローカル・オーディオ及びビデオ・再生サーバ４８１、ローカル・オーディオ及びビデオ・スタジオ４８２、ローカル物理媒体再生システム４８３と、を含みうる。図１３に示されるように、コンテンツ配送受信機システム４６３は、限定的ではないが、ローカル・オフエア受信機４６５、ローカル衛星受信機及び復号器４６６、ローカル・マイクロ波受信機４６７、ローカル・オーディオ／ビデオ・プロセッサ、ミキサ、及び／又は、ルータ４６８を含みうる。図１４に示されているローカル・コンテンツ・ソース４７５の内部では、ローカル・テレビ及びラジオ・ソース４７７は、アグリゲータ２０１システムに地理的に近接する１又は複数の市場で入手可能な１又は複数のオフエア・ラジオ及び／又はテレビ放送を含む。ローカル・衛星ソース４７８は、限定されないが、直接放送衛星（ＤＢＳ）システム、デジタル・オーディオ・ラジオ・サービス（ＤＡＲＳ）、１又は複数のラジオ及びテレビ配分サービスからの番組、ブロードキャスト・ネットワーク衛星フィード、臨時的使用ビデオ・フィード、遠距離教育及び／又は公共番組サービスなど衛星によって配分されるそれ以外の信号など、１又は複数のプロプラエタリな及び／又は標準的なフォーマット、を用いているコンテンツ・プロバイダからのオーディオ及び／又はビデオ信号を含む。ローカル・マイクロ波ソース４７９は、１又は複数のオーディオ、ビデオ、及び／又は、ポイント間でマイクロ波ネットワークを介して配分されるデータ・サービスを含み、地域的なテレビなどの単一のコンテンツ信号を含み、又は、２以上のアナログ及び／又はデジタル・コンテンツ・ソース信号の多重化を含む。ローカル・オーディオ／ビデオ再生サーバ４８１は、要求やリクエスト・ベースで、及び／又は、予定ベースで、アグリゲータ・ローカル・ストレージ２５４に記憶されているコンテンツにアクセスすることができるコンピュータ・ベースのシステムを含む。再生サーバ４８１は、アグリゲータ・ローカル・ストレージ２５４からコンテンツ・データをリトリーブし、記憶されているデータを、限定されないが、ＭＰＥＧオーディオ及び／又はビデオ、インターネット・プロトコル・カプセル化されたオーディオ及び／又はビデオ、ベースバンド・オーディオ及び／又はビデオ、そして、ＤＢＳオーディオ及び／又はビデオを含む配送のための１又は複数のフォーマットに変換する。ローカル・オーディオ／ビデオ・スタジオ４８２は、１又は複数の様々なラジオ・ベース及び／又はテレビ・ベースのスタジオや、１又は複数のデジタル及び／又はアナログ・コンテンツ・フィードを提供するそれ以外のオーディオ及びビデオ・スタジオを含む。ローカル・スタジオ４８２は、スポーツ・イベント及び／又はニュース・イベントのカバレッジなど、ライブでオンサイトの放送を含む。ローカル物理的媒体再生システム４８３は、限定されないが、磁気テープ、光ディスク、ビニール・レコード、映画フィルム及び番組コンテンツの記憶及び再生のためのそれ以外の未開発の媒体を含む物理媒体上に存在する番組を再生する様々なオーディオ及び／又はビデオ・システムを含む。ローカル・ケーブルテレビ・ヘッドエンド４８４は、１又は複数の異なるフォーマットでローカル・ケーブルテレビ・ヘッドエンド４８４によって提供される任意のオーディオ、ビデオ、及び／又は、データ・サービスを含む。ローカル・オーディオ及びビデオ・スタジオ４８２からのコンテンツ・フィード、ローカル物理媒体再生システム４２２、及び／又は、ローカル・ケーブルテレビ・ヘッドエンド４８４は、伝送のためのコンテンツ要件を満たすソース・コンテンツのオーディオ及びビデオ信号に対して、様々な処理機能を実行する。オーディオ／ビデオ処理機能には、オーディオ・レベルの調整、オーディオ及び／又はビデオ信号の合成及び／又は分離、そして、ビデオの輝度及びクロミナンスの調整が含まれる。
【００７９】
図１５は、図１０に示されているアグリゲータ２０１の別の実施例に一部である通信システム２８０のコンポーネントを示している。図１５には、また、通信システム４６０がコンテンツ・サーチ、パッケージング及び配送システム２００の一部として相互作用するコンポーネントも示されている。アグリゲータ２０１の内部では、通信システム２８０は、広域流通システム２０３へのインターフェースとして、システム・ユーザへの主要な通信を管理する目的で、機能している。通信システム２８０は、また、リクエスト及び結果処理サーバ３００、コンテンツ配送システム４６０及びシステム・アドミニストレータ５００とも相互作用する。通信システム２８０は、入力されるユーザ・サーチ及びダウンロード・リクエストと関連するユーザ情報とをリクエスト及び結果処理サーバ３００にルーティングし、サーチ結果及びコンテンツ・ダウンロードを広域流通システム２０３を介してエンド・ユーザにルーティングし、システム・アドミニストレータ５００の中の顧客課金サーバ５０６との間の課金情報を、エンド・ユーザとの間でルーティングする。通信システム２８０は、コンテンツ配送システム４６０からコンテンツ・データ・ファイル及び／又はコンテンツ・データ・トランスポート・ストリームを受け取り、これらのコンテンツ・ファイルと信号とを広域流通システム２０３を経由して１又は複数のユーザ端末２０２まで伝送する。
【００８０】
図１５に示されているように、通信システム２８０のコンポーネントは、通信サーバ２５０、１又は複数のコンテンツ伝送ルータ２８１、１又は複数のコンテンツ伝送システム２８３、１又は複数のユーザ・データ・トランシーバ２８５及び物理媒体作成ユニット２８７を含む。通信サーバ２５０は、コンテンツ配送システム４６０と通信して、コンテンツ伝送ルータ２８１を経由して１又は複数のコンテンツ伝送システム２８３までのコンテンツ・データの転送を、広域流通システム２０３を経由して１又は複数のユーザ端末２０２までの配送のために、協調させる。通信サーバ２５０とコンテンツ配送システム４６０との間でコンテンツ・データ伝送の協調のために転送されるデータには、限定的ではないが、コンテンツ・ルーティング・パラメータ及びアドレシング、コンテンツ・フォーマット・メタデータ、コンテンツ・サイズ及び／又は継続時間メタデータ、ターゲット・コンテンツ伝送システム２８３のための識別及び動作パラメータ、伝送に用いられる広域流通システム２０３の内部の１又は複数のチャネルに対する識別及び動作パラメータ、そして、コンテンツ・データの受信のために指定された１又は複数のユーザ端末２０２に対する識別及びアドレシング情報が含まれる。
【００８１】
通信サーバ２５０は、１又は複数のコンテンツ伝送ルータ２８１を用いて、図１５に示されている様々なサブシステムの間でのコンテンツ・データの伝送のために、論理的及び／又は物理的回路接続を動的に確立する。コンテンツ伝送ルータ２８１は、通信サーバ２５０の指示の下で動作してコンテンツをコンテンツ配送システム４６０からコンテンツ伝送システム２８３へ転送するのに要求されるサブシステムの間での相互接続を確立し管理する。図１５では、サブシステムの間の相互接続がいくつか２つの接続線とこれらの２つの線の間の一連の点（ドット）とによって、示されている。このような慣行は、任意の時点で１又は複数の接続されたサブシステムの間に１又は複数の接続又は回路が存在し、２つの接続されたサブシステムの間の接続の数は変動するということを示している。接続又は回路のそれぞれの接続は、ソフトウェア及び／又はハードウェア・モジュールの間の１若しくは複数の論理的及び／又は１若しくは複数の物理的接続を含む。アナログ・コンテンツの伝送に必要となる物理的なルーティング構成は、回路スイッチング装置、マトリクス・スイッチ、配分増幅器、信号スプリッタ、入力及び出力ポート、パッチ・ベイなど、産業標準及び／又はカスタムのコンポーネントを用いて達成することができる。デジタル・コンテンツの伝送に必要となる論理的なルーティングは、通信サーバ２５０及び／又はシステム・アドミニストレータ５００によってコンテンツ・サーチ、パッケージング及び配送システム２００の一部としてサポートされる１又は複数のローカル・エリア・ネットワーク上で動作する１又は複数のデジタル・パケット・トランスポート・プロトコルを用いて、達成することができる。ある実施例では、コンテンツ伝送ルータ２８１の機能は、１又は複数のサブシステムによって実現され、通信システム２８０の機能的及び／又は物理的に外部にあり、アグリゲータ２０１のサブシステム（図４には図示せず）でありうる。別の実施例では、コンテンツ伝送ルータ２８１の機能は、１又は複数のサブシステムによって実現され、アグリゲータ２０１に対して機能的及び／又は物理的に外部にあり、よって、アグリゲータ２０１とそのサブシステムとは、外部インターフェース（図４には図示せず）を介して、コンテンツ取得ルータ２８１又は同等のシステムに接続する。接続と、通信システム２８１の内部とコンテンツ取得システム４０５の外部との両方にあるそのような接続の論理的及び物理的ルーティング経路との数は、より少数又はより多数のコンテンツ経路に適応する必要に応じて、また、任意の時点において要求される様々なソース及び目的地の組合せに適応する必要に応じて変動する。これらの経路は、通信サーバ２５０によって要求ベースで作成又は修正され、また、必要に応じて、コンテンツ伝送の前に及び／又はその間に、修正することができる。
【００８２】
通信サーバ２５０は、コンテンツ伝送システム２８３の内部の１又は複数のコンポーネント及び／又はサブシステムと通信して、利用可能なコンテンツ伝送リソースを識別して管理し、コンテンツ伝送システムのハードウェア及び／又はソフトウェア・モジュールを構成し、コンテンツ伝送システムが広域流通システム２０３を介して１又は複数のユーザ端末２０２までコンテンツを多重化、変調、符号化、処理及び伝送するのに必要なルーティング情報及び動作パラメータを伝送する。図１６に詳細に示されているように、コンテンツ伝送システム２８３の出力は、広域流通システム２０３の様々なコンポーネント及び／又はサブシステムに結合することができる。広域流通システム２０３は、１又は複数のコンテンツ伝送システム２８３を１又は複数のユーザ端末２０２に接続する様々な通信システム及び／又は伝送経路を含む。広域流通システム２０３は、同軸ケーブルテレビ・システム、衛星システム、オフエア・ブロードキャスト・チャネル、光システム、広域ネットワーク及び／又はインターネット・システム、電話システム、ファイバ・システム、ワイヤ線システム及び／又は無線システムの中の１若しくは複数、又は、２以上のものの組合せを含む。広域流通システム２０３は、アグリゲータ２０１の中の通信システム２８０から１又は複数のユーザ端末２０２まで、コンテンツが、アナログ及び／又はデジタル・オーディオ、アナログ及び／又はデジタル・ビデオ、マルチメディア・データ、テキスト・データ、コンテンツ・サーチ、パッケージング及び配送システム２００との互換性を有するそれ以外のコンテンツ・タイプ又はフォーマットであるかとは関係なく、希望するコンテンツを伝送することができる。
【００８３】
図１６は、代表的なコンテンツ伝送システム２８３と、広域流通システム２０３とを示している。コンテンツ伝送システム２８３は、１又は複数のコンテンツ伝送符号器３１０と、コンテンツ伝送マルチプレクサ３１１と、コンテンツ伝送変調器３１２と、オフエア送信機３１５と、衛星送信機３１６と、無線システム送信機３１７と、ケーブル・ヘッドエンド送信機３１８と、デジタル・プロトコル伝送サーバ３１９とを含む。１又は複数のデジタル・プロトコル伝送サーバ３１９は、コンテンツ・ファイルとデータ・ストリームとを、様々なケーブル、ファイバ、衛星、ワイヤ線及び／又は無線回路の上を伝送させるために、１又は複数の標準的な及び／又はプロプラエタリなデジタル・プロトコルにカプセル化することができる計算システムを含む。ある実施例では、デジタル・プロトコル伝送サーバ３１９は、コンテンツ・データを、ＩＰゲートウェイと関連するインターネット・チャネルとを介してユーザ端末まで伝送するために、標準的なインターネット・プロトコル（ＩＰ）の形式にカプセル化する。広域流通システム２０３は、テレビ及びラジオ放送アンテナ３２５と、衛星アップリンク・アンテナ３２６と、無線配分アンテナ３２７と、同軸ケーブルと、光ファイバと、ツイストペア伝送インフラストラクチャ３３０と、１又は複数のデジタル・プロトコル伝送ゲートウェイ３３２と、コンテンツ伝送システム２８３をユーザ端末２０２に接続する関連の通信チャネル及び回路と、を含む。図１６では、コンテンツ伝送ルータ２８１は、コンテンツ伝送システムの境界の内部及び外部の両方に存在するように示されており、コンテンツ伝送ルータ２８１を含む１又は複数のハードウェア・システム及び／又はソフトウェア・モジュールと関連の機能とは、分散的な性質を有し、通信システム２８０及び／又は１又は複数のコンテンツ伝送システム２８３の部分的に又は全体的に内部に存在するコンテンツ伝送ルータ２８１を含むということを示している。従って、コンテンツ伝送ルータ２８１の機能は、１又は複数のコンテンツ伝送システム２８３の中へ拡張することができ、コンテンツ伝送システム２８３の１又は複数のコンポーネント及び／又はサブシステムの間でコンテンツ・データとトランスポート・ストリームとをルーティングすることができる。
【００８４】
コンテンツ伝送システム２８３の内部では、１又は複数のコンテンツ伝送符号器３１０は、１又は複数の通信チャネル及び／又は回路３３５を経由してコンテンツ伝送システム２８３による伝送の必要に応じて、コンテンツ・データの最終的な符号化を実行する。コンテンツ伝送符号器３１０によって実行される符号化は、限定されないが、スクランブリングと、インターリービングと、リード・ソロモン、連結及びスプレッド・スペクトル符号化などフォワード誤り訂正符号化とを含む。２以上のコンテンツ・データ信号は、１又は複数のコンテンツ伝送マルチプレクサ３１１によって合成され、複数のコンテンツ・チャネル及び／又は信号が、１つの伝送キャリア上を同時に伝送される。そのような多重化された信号は、コンテンツ伝送システムが、１つの伝送経路を介して１又は複数のユーザ端末に同時に多くの番組及び／又はコンテンツ・ダウンロードを実行することを可能にする。多重化された信号は、ユーザ端末２０２アドレシング及び認証データを含み、特定のユーザ端末２０２が、他のユーザ端末２０２による消費が意図されているコンテンツを無視しながら、多重化された信号の希望する部分又はその中のチャネルへアクセスすることを可能にする。１又は複数のコンテンツ信号は、符号化及び／又は多重化されていても、コンテンツ・データ信号を１又は複数の通信チャネル上での伝送に適する１又は複数のキャリア周波数の上に変調する１又は複数のコンテンツ伝送変調器３１２によって作用される。そして、１又は複数の変調されたコンテンツ信号は、信号を１又は複数のユーザ端末２０２に伝送する広域流通システム２０３の１又は複数のコンポーネントを用いて、伝送のために適切な周波数変換及び／又は増幅のために、１又は複数のコンテンツ送信機を介して、ルーティングされる。ある実施例では、コンテンツ伝送システム２８３の内部のコンポーネントによって実行される機能の２つ以上は、単一の装置又は装置群によって実行され、伝送システム・プロセスのそれぞれのステップ又は機能を実行するのに離散的なコンポーネントは不要となる。
【００８５】
広域流通システム２０３は、配分された公共的及び／又は私的なインフラストラクチャ要素と１又は複数のユーザ端末２０２と同じ場所にある要素とに加えて、アグリゲータ２０１の通信システム２８０と同じ場所にある多数の要素を含む。図１６に示されているように、通信システム２８０のコンテンツ配送システム２８３と同じ場所にある広域流通システム２０３の要素には、１又は複数のテレビ及びラジオ・ブロードキャスト・アンテナ３２５，衛星アップリンク・アンテナ３２６，無線配分アンテナ３２７，同軸ケーブル及び／又は光ファイバ伝送インフラストラクチャ３３０が含まれる。配分された公的及び／又は私的なインフラストラクチャ要素（図１６には図示せず）を含む広域流通システム２０３の要素は、公的エアウェイブ・サポート・ブロードキャストを表す物理空間、衛星、無線伝送、１又は複数の軌道を周回する通信衛星、同軸ケーブルの１又は複数の配分された部分、光ファイバ、電話、及び／又は、ツイストペア・ワイヤ通信ネットワークの中の１又は複数を含む。１又は複数のユーザ端末２０２と同じ場所にある広域流通システム２０３の要素（図１６には図示せず）には、テレビ及びラジオ・ブロードキャスト信号を受信する受信要素、衛星及びそれ以外の無線伝送、同軸ケーブル、光ファイバ、電話及び／又はツイストペア・ワイヤ通信ネットワークの中の１又は複数の配分されている部分を介して伝送される様々なアナログ及び／又はデジタル信号が含まれる。
【００８６】
コンテンツ伝送システム２８３と、広域流通システム２０３と、ユーザ端末と同じ位置にある受信要素とは、スケーラブルであり、多数の異なるタイプの通信システムと相互動作が可能であり、コンテンツの伝送のために高度の柔軟性をシステム・ユーザに提供し、コンテンツ・サーチ、パッケージング及び配送システム２００によるコンテンツの配送と互換性を有するまだ開発されていないブロードキャスト及び伝送システムとの統合にも適応することができる。広域流通システム２０３と共同する通信システム２８０は、２以上の通信システム及び／又は経路を介して、コンテンツを同時に配送することができるので、ユーザ端末２０２は、同時に異なる通信チャネルを経由してコンテンツを受信することができる。どのコンテンツがどの通信システム又は経路を経由して伝送されるのかに関する判断は、通信システム２８０によってなされ、限定されないが、様々な通信チャネルの間での帯域幅の利用可能性、配送されるコンテンツのフォーマット及び要求される帯域幅、システム全体の負荷、そして、ソース及びターゲットの位置及び／又は識別子（ＩＤ）を含む要因に基づく。
【００８７】
通信システム２８０は、コンテンツ・データ以外のデータを、アグリゲータ２０１及びユーザ端末２０２との間で伝送及び受信することができるソフトウェア及び／又はハードウェア・モジュールを含む１又は複数のユーザ・データ・トランシーバ２８５を含む。ユーザ・データ・トランシーバ２８５は、通信サーバ２５０を、広域流通システム２０３を介して、限定されないが、ユーザ・コンテンツ・サーチ・リクエスト及びコンテンツ・ダウンロード・リクエスト、リクエストされたコンテンツの利用可能性に関する告知プロンプト、ユーザ・プロフィール・データ、ユーザ履歴及び使用データ、課金情報、広告、番組予定データ、サービス利用可能性データ、そして、それ以外の管理情報を含むデータの転送のために、１又は複数のユーザ端末２０２に接続する。ある実施例では、ユーザ・データ・トランシーバ２８５は、広域流通システム２０３の中で１又は複数の通信チャネルに動作可能に接続された１又は複数のコンピュータ・サーバ・システムを含む。ユーザ・データ・トランシーバ２８５による通信サーバ２５０から１又は複数のユーザ端末２０２へのユーザ・データの伝送は、１又は複数の別個で専用の通信チャネルを経由する場合や、コンテンツ伝送の１又は複数として同じ伝送経路を占有する場合がある。ある実施例では、ユーザ・データの伝送は、コンテンツ・データと多重化される。与えられたユーザ端末２０２を通信システム２８０に接続するのに用いられる通信チャネルのタイプに応じて、ユーザ・データ・トランシーバ２８５は、データを、デジタル・プロトコル伝送ゲートウェイ３３２などの広域流通システム２０３の１又は複数のコンポーネントを経由して直接に伝送する場合と、衛星送信機３１６及び／又は無線システム送信機３１７の１又は複数などコンテンツ伝送システム２８３の中の１つを経由して伝送する場合とがある。ある実施例では、通信システム２８３からユーザ端末２０２への順方向への伝送経路は、ユーザ端末２０２から通信システム２８３への帰りの伝送経路とは異なる場合もある。例えば、ユーザ端末２０２は、コンテンツ・サーチの結果などのユーザ・データは、衛星伝送経路を用いて配送される別のコンテンツ・ダウンロードと多重化された状態で受信し、ユーザ・プロフィールや履歴データなどのユーザ・データは、デジタル・プロトコル伝送ゲートウェイ３３２の１つを経由するインターネット接続を用いて、アップロードする、などである。
【００８８】
システム・ユーザへのコンテンツの配送は、ビデオテープ、デジタル・ビデオ・ディスク（ＤＶＤ）及び／又はＣＤ−ＲＯＭなどの物理媒体の交換を通じて行うこともできる。コンテンツの物理媒体による配送をサポートするために、通信システム２８０は、物理媒体作成ユニット２８７（図１６に示されている）を取り込んでいる場合もある。これは、通信サーバ２５０に接続して物理コンテンツ媒体の作成のための命令及びパラメータを受け取り、コンテンツ伝送ルータ２８１に接続して物理媒体の上に記憶されるコンテンツ・データを受信することもできる。物理媒体作成ユニット２８７は、完全に又は部分的に自動化され、人間との相互作用及び／又は監督を必要としたり必要としなかったりするようにできる。通信サーバ２８０は、作成パラメータを作成ユニット２８７に伝送するが、これには、限定的ではないが、物理媒体に記録されるコンテンツの識別子、用いられる物理媒体のタイプ、物理媒体上にコンテンツを受信するシステム・ユーザに関する識別情報、ソース・コンテンツ・データのためのルーティング情報、そして、パッケージング及び物理的配送情報などが含まれる。コンテンツ伝送ルータ２８１は、次に、適切なコンテンツ・データを、物理媒体への記録のために、物理媒体作成ユニット２８７の１又は複数のコンポーネントにルーティングする。コンテンツ配送のための物理媒体は、限定的ではないが、磁気テープ、光ディスク、着脱可能なコンピュータ・ディスク、番組コンテンツの記憶及び消費のためのそれ以外のまだ開発されていない媒体などを含む。一例は、ターザン映画のポスタのデジタル複製とEdgar Rice Burroughsによる対応する書籍の電子書籍バージョンとを伴った１又は複数のターザン映画を含むＤＶＤである。物理媒体は、図１６に示されているように、物理媒体流通チャネル２８９を経由してシステム・ユーザに配送される。物理媒体流通チャネル２８９には、ＵＳメール、民間の配送業者、コンテンツ・サーチ、パッケージング及び配送システムに特有の１又は複数の配送業者及び／又はシステム２００のオペレータとの同意の下で機能している小売りアウトレットなどがある。ある実施例では、１又は複数の物理媒体作成ユニット２８７は、アグリゲータ２０１や通信システム２８０から遠く離れた場所にあって、作成パラメータとコンテンツ・データとを、広域流通システム２０３の中のチャネルを経由して通信サーバ２５０から受信している。
【００８９】
図１７は、図１１に示されているコンテンツ取得システム４０５の１又は複数のコンポーネントの中に存在しコンテンツ取得システム４０５の動作を制御するコンテンツ取得方法６００を含む処理モジュールの図である。コンテンツ取得方法６００は、コンテンツ取得方法６００の中にある１又は複数の他の処理モジュールに結合されておりコンテンツ取得方法６００の中の１又は複数の他の処理モジュールの構成及び動作を管理するマスタ取得システム処理モジュール６０１を含む。マスタ取得システム処理モジュール６０１は、動作可能な態様でアグリゲータ２０１の他のシステムと接続され、それらとの間で通信及び相互作用を行う。このほかのシステムとしては、限定的ではないが、ネットワーク・ゲートウェイ２５１、システム・アドミニストレータ５００、リクエスト及び結果処理サーバ３００、コンテンツ配送システム４６０、そして、１又は複数のコデック及びコンテンツ・フォーマッタ２７０が含まれる。ある実施例では、コンテンツ取得方法６００の中の処理モジュールは、バス・トポロジを用いて相互接続され、最大で全部の処理モジュールの間での動的な相互接続が可能であり通信ルーティングのためのモジュールの論理的アドレシングをサポートしている。マスタ取得システム処理モジュール６０１は、リクエスト及び結果処理サーバ３００と通信するコンテンツ・リクエスト受信機６０３に結合され、遠隔コンテンツのダウンロードを求めるリクエストを受信する。コンテンツ・リクエスト受信機６０３は、コンテンツ・リクエストに対して作用してリクエストされたコンテンツを取得して配送するのに必要なリクエストの中の情報を識別する。この解析は、ユーザ情報の記録、ユーザ認証の確認、リクエストされたコンテンツ及びフォーマット要件の識別、そして、ダウンロード・リクエストを満たすのに要求されるタスクのリストの作成及び配分を含む。コンテンツ・リクエスト解析モジュール６０５は、コンテンツ・ダウンロード・リクエスト・データ・ルーティング・モジュール６０７に結合され、モジュール６０７は、適切なコンテンツ・ダウンロード・リクエスト・データを、広域ネットワーク（ＷＡＮ）／インターネット・ゲートウェイ・インターフェース・モジュール６０９により、１又は複数の遠隔コンテンツ・ソース４１０（図１１）にルーティング及び／又は伝送する。ＷＡＮ／インターネット・ゲートウェイ・インターフェース・モジュール６０９は、ネットワーク・ゲートウェイ２５１と相互作用して、広域ネットワーク／インターネット２０５を経由してのコンテンツ取得方法６００と１又は複数の遠隔コンテンツ・ソース４１０との間の通信を容易にする。
【００９０】
取得プロセスの間、コンテンツ予定及び利用可能性情報ルーティング・モジュール６１１は、選択されたコンテンツの予定及び利用可能性情報を、システム・アドミニストレータ５００の中のデータベース・アドミニストレータ５０２に提出し、受けた側は、この予定及び利用可能性情報を、リクエスト及び結果処理サーバ３００の中の予定されている番組及びコンテンツ利用可能性プロンプト及び告知プロセッサ３０６にルーティングする（図５）。やはり取得プロセスの間に、ユーザ・データ及び管理データ・ルーティング・モジュール６１３は、システム・ユーザとそれ以外の管理プロセスとに関するデータを、システム・アドミニストレータ５００の中の１又は複数のプロセッサ、コンテンツ取得システム４０５、及び／又は、１又は複数のユーザ端末２０２にルーティングする。このようなユーザ及び管理データは、ユーザ・サーチ及びダウンロード・リクエスト履歴、課金情報、コンテンツ著作権データ、デジタル権利管理データ、広告データを含む。
【００９１】
遠隔コンテンツ・ダウンロード管理及びモニタリング・モジュール６１５は、システム処理モジュール６０１、ＷＡＮ／インターネット・ゲートウェイ・インターフェース・モジュール６０９、遠隔通信チャネル構成及び管理モジュール６３１に結合され、１又は複数の遠隔コンテンツ・ソース４１０と通信して、遠隔コンテンツ・ソース４１０からコンテンツ取得システム４０５へのコンテンツの転送及び／又はダウンロードを管理する。遠隔コンテンツ・フォーマット及びメタデータ解析モジュール６１７は、コンテンツ・フォーマット情報と遠隔コンテンツに関連するメタデータとを、ダウンロード及び／又は記憶フォーマット要件に対して比較し、遠隔コンテンツが、１又は複数のシステム・ユーザ及び／又はアグリゲータ・ローカル・ストレージ２５４の中のストレージへの配送の前に、１又は複数のコデック及びコンテンツ・フォーマッタ２７０に送られる必要があるかどうかが判断される。フォーマット及びメタデータ解析モジュール６１７は、次に、符号化及びフォーマット要件をマスタ取得システム処理モジュール６０１に通信して、コンテンツ・ルーティング構成において用いる。システム処理モジュール６０１は、遠隔コンテンツ・ルータ構成及び制御モジュール６１９に結合され、モジュール６１９は、１又は複数のコンテンツ取得システム４０５の１又は複数のハードウェア及び／又はソフトウェア・コンポーネントを制御して図１１に示されている様々なサブシステムの間でコンテンツ・データを伝送するための論理的及び／又は物理的回路接続を確立し管理する。
【００９２】
遠隔受信システム・パラメータ定義モジュール６２１は、マスタ取得システム処理モジュール６０１とコンテンツ取得方法６００の内部の他のモジュールとに結合され、ダウンロード・リクエスト・データと利用可能な遠隔コンテンツに関するデータとを用いて１又は複数のコンテンツ取得受信機システム４０８の構成及び制御のために必要な遠隔受信システム・パラメータを定義する。遠隔受信システム・パラメータは、遠隔受信システム・リソース・ポーリング・モジュール６２３によってコンテンツ取得リクエストを満足するリクエストされ利用可能なコンテンツ取得受信機システム４０８のリソースを識別するのに用いられる。いったん受信システム・リソースが識別されると、遠隔受信システム構成モジュール６２５は、リソース識別データと受信機システム・パラメータとを用いて、リクエストされた遠隔コンテンツを受信する１又は複数のコンテンツ取得受信機システム４０８を構成する。１又は複数の受信機システム４０８が構成されると、遠隔受信機システム管理及びモニタリング・モジュール６２７は、遠隔コンテンツの転送の間、受信機システム４０８を監督し、マスタ取得システム処理モジュール６０１と１又は複数の遠隔コンテンツ・ソース遠隔コンテンツ・ソース４１０との間で通信し、コンテンツ取得システム４０５への、そして、最終的にはコンテンツ取得ルータ４０６を経由してコンテンツ配送システム４６０と通信システム２８０とまでの１又は複数のシステム・ユーザへの伝送のための遠隔コンテンツの適切な配送を保証する。
【００９３】
遠隔コンテンツ・ソース・パラメータ定義及び伝送モジュール６２９は、システム処理６０１と、コンテンツ取得方法６００の中の他のモジュールとに結合され、ダウンロード・リクエスト・データと利用可能な遠隔コンテンツ及び／又は遠隔コンテンツ・ソース４１０に関するデータとを用いて、１又は複数の遠隔コンテンツ・ソース４１０が遠隔コンテンツを１又は複数のコンテンツ取得受信機システム４０８に配送し、そして、これらのパラメータを１又は複数の遠隔コンテンツ・ソース４１０に伝送する。遠隔通信チャネル構成及び管理モジュール６３１は、マスタ取得システム処理６０１と、１又はそれ以外のモジュールとに結合され、ダウンロード・リクエスト・データと遠隔コンテンツ・ソース・パラメータ及び定義データとを用いて、遠隔コンテンツをコンテンツ取得システム４０５に伝送するために、１又は複数の遠隔通信チャネル４０９を構成し管理する。遠隔通信チャネル構成及び管理モジュール６３１は、また、１又は複数の遠隔コンテンツ・ソース４１０と通信して、１又は複数の遠隔コンテンツ・ソース４１０と１又は複数のコンテンツ取得受信機システム４０８との間での１又は複数の遠隔通信チャネル４０９の構成を容易にする。
【００９４】
遠隔コンテンツ受信モジュール６３３は、コンテンツ取得方法５００の内部の１又は複数のモジュールに結合され、１又は複数の遠隔通信チャネル４０９からの遠隔コンテンツを含む信号を受け取り、これらの信号を遠隔コンテンツ復調モジュール６３５にルーティングする。モジュール６３５は、受け取られた電子信号に作用して、１又は複数の変調方式を用いて１又は複数の変調されたキャリアからアナログ及び／又はデジタル・コンテンツ・データ・ストリームをフィルタリングする。遠隔コンテンツ復調モジュール６３５は、次に、１又は複数の復調された信号を遠隔コンテンツ・デマルチプレクス・モジュール６３７にルーティングする。モジュール６３７は、コンテンツ・データの基本ストリーム又は個々のチャネルを１又は複数のマルチチャネル・ストリームから分離し、このデータを、他の適切なサブシステムに伝送するために、遠隔コンテンツ・ルータ構成及び制御モジュール６１９に利用可能であるようにする。
【００９５】
図１８は、図１３に示されているコンテンツ配送システム４６０の１又は複数のコンポーネントに存在しコンテンツ配送システム４６０の動作を制御するコンテンツ配送方法７００を含む処理モジュールの図である。コンテンツ配送方法７００は、コンテンツ配送方法７００の中の１又は複数の他の処理モジュールに結合されコンテンツ配送方法７００の中の１又は複数の他の処理モジュールの構成及び動作を管理するマスタ配送システム処理モジュール７０１を含む。配送システム処理モジュール７０１は、限定されないが、システム・アドミニストレータ５００と通信システム２８０とコンテンツ取得システム４０５と１又は複数のコデック及びコンテンツ・フォーマッタ２７０と１又は複数のローカル・コンテンツ・ソース４７５とを含むアグリゲータ２０１の他のシステムに、動作可能に接続され、通信し相互作用する。ある実施例では、コンテンツ配送方法７００の中の処理モジュールは、最大で処理モジュール全部の間での動的な相互接続を可能にするバス・トポロジを用いて相互に接続され、通信ルーティングのためにモジュールの論理的なアドレシングをサポートする。マスタ配送システム処理モジュール７０１は、ローカルに利用可能であるコンテンツを１又は複数のアグリゲータ２０１システム・ユーザに配送することを求めているリクエスト及び結果処理サーバ３００（図５）及び／又はコンテンツ・リクエスト・プロセッサ及びルータ４０１（図６）からの電子的リクエストを受け取るローカル・コンテンツ・リクエスト受信機７０３に結合される。ローカル・コンテンツ・リクエスト受信機７０３は、ローカル・コンテンツ・リクエスト解析モジュール７０４に結合される。モジュール７０４は、ローカル・コンテンツ配送リクエストに作用して、リクエストされたコンテンツを提供して１又は複数のシステム・ユーザに配送することができる１又は複数のローカル・コンテンツ・ソース４７５を識別するのに必要なリクエストの中の情報を識別する。ローカル・コンテンツ・リクエストの解析は、ユーザ情報の記録、ユーザ認証の確認、リクエストされたコンテンツ及びフォーマット要件の識別、そして、配送リクエストを満たすのに要求されるタスクのリストの作成及び配分を含む。
【００９６】
ローカル・コンテンツ配送管理及びモニタリング・モジュール７０７は、システム処理モジュール６０１と１又は複数のローカル・コンテンツ・ソース４７５とに結合され、ローカル・コンテンツ・ソース４７５からコンテンツ配送システム４６０への転送及び／又は配送を管理する。ローカル・コンテンツ・フォーマット及びメタデータ解析モジュール７０５は、フォーマット情報とローカル・コンテンツと関連するメタデータとを、配送フォーマット要件と比較して、ローカル・コンテンツが１又は複数のシステム・ユーザに配送される前に１又は複数のコデック及びコンテンツ・フォーマッタ２７０にルーティングされる必要があるかどうかを判断する。フォーマット及びメタデータ解析モジュール７０５は、次に、符号化及びフォーマット要件をマスタ配送システム処理モジュール７０１に通信して、コンテンツ・ルーティング構成において用いることができるようにする。ローカル・コンテンツ配送プロセスの間、ユーザ・データ及び管理データ・ルーティング・モジュール７１１は、システム・ユーザと他の管理プロセスとに関するデータを、システム・アドミニストレータ５００、コンテンツ配送システム４６０及び／又は１又は複数のユーザ端末２０２の中の１又は複数のプロセッサにルーティングする。そのようなユーザ及び管理データには、ユーザ・サーチ及びダウンロード・リクエスト履歴と、課金情報と、コンテンツ著作権データと、デジタル権利管理及び広告データとが含まれる。システム処理モジュール７０１は、コンテンツ配送ルータ構成及び制御モジュール７１３に結合される。モジュール７１３は、１又は複数のコンテンツ配送ルータ４６１の１又は複数のハードウェア及び／又はソフトウェア・コンポーネントを制御して、コンテンツ・データを図１３に示されている様々なサブシステムの間で伝送するため、論理的及び／又は物理的回路接続を確立して管理する。
【００９７】
配送受信機システム・パラメータ定義モジュール７０５は、システム処理６０１とコンテンツ配送方法７００の中の他のモジュールとに結合され、ダウンロード・リクエスト・データと利用可能なローカル・コンテンツとを用いて、１又は複数のコンテンツ配送受信機システム４６３の構成及び制御に要求される配送受信機システムのパラメータを定義する。配送受信機システム・パラメータは、次に、配送受信機システム・リソース・ポーリング・モジュール７１７によって、コンテンツ配送リクエストを満たす要求されていて利用可能なコンテンツ配送受信機システム４６３リソースを識別するのに用いられる。いったん配送受信機システム・リソースが識別されると、配送受信機システム構成モジュール７１９は、リソース識別データと配送受信機システム・パラメータとを用いて、１又は複数のコンテンツ配送受信機システム４６３を構成し、リクエストされたローカル・コンテンツを受け取る。１又は複数の配送受信機システム４６３が構成された後で、配送受信機システム管理及びモニタリング・モジュール７２１は、ローカル・コンテンツが転送される間、受信機システム４６３を監督し、マスタ配送システム処理モジュール６０１と１又は複数のローカル・コンテンツ・ソース４７５と通信して、１又は複数のシステム・ユーザへの伝送のために、コンテンツ配送ルータ４６１を経由して通信システム２８０までのコンテンツの適切な配送を保証する。
【００９８】
ローカル・コンテンツ・ソース・パラメータ定義及び伝送モジュール７２９は、システム処理モジュール７０１とコンテンツ配送方法７００の中の他のモジュールとに結合され、ダウンロード・リクエスト・データと利用可能なローカル・コンテンツ及び／又はローカル・コンテンツ・ソース４７５に関するデータとを用いて、１又は複数のローカル・コンテンツ・ソース４７５がローカル・コンテンツを１又は複数のコンテンツ配送受信機システム４６３に配送するのに要求される構成及び／又は動作パラメータを定義し、これらのパラメータを１又は複数のローカル・コンテンツ・ソース４７５に伝送する。ローカル・コンテンツ受信及び複合化モジュール７２３は、コンテンツ配送方法７００の中の１又は複数のモジュールに結合され、１又は複数のローカル・コンテンツ・ソースからのローカル・コンテンツを含むファイル及び／又はデータ・トランスポート・ストリームを受け取り、コンテンツの必要な復号化をすべて行い、これらの信号をローカル・コンテンツ処理モジュール７２５にルーティングする。ローカル・コンテンツ処理モジュール７２５は、コンテンツ・データに対して、オーディオ・レベルの調整、オーディオ及び／又はビデオ信号の合成及び／又は分離、そして、配送に要求されるビデオの輝度及びクロミナンスの調整を含む初期機能を実行する。ローカル・コンテンツ・オーディオ及びビデオ再生モジュール７２７は、コンテンツ配送方法７００の１又は複数の他のモジュールに結合され、アグリゲータ・ローカル・ストレージ２５４に記憶されているオーディオ及びビデオ・コンテンツにアクセスしてこのコンテンツを、１又は複数のシステム・ユーザに配送するために通信システム２８０にルーティングする１又は複数のオーディオ及び／又はビデオ・ストリームとして利用可能にする。
【００９９】
リクエスト解析モジュール７０４やローカル・コンテンツ・フォーマット及びメタデータ解析モジュール７０５などのコンテンツ配送モジュールによって実行される処理の結果として、システム処理モジュール７０１は、１又は複数のコンテンツ・ファイル及び／又はデータ・トランスポート・ストリームがデジタル権利管理方式、暗号化方式及び／又は広告の適用を必要とすることを判断することができる。これらの属性を配送されるコンテンツに適用することは、デジタル権利管理モジュール７３１と暗号化モジュール７３３と広告モジュール７３５とによってそれぞれ実行される。デジタル権利管理モジュール７３１は、コンテンツ・プロバイダが１又は複数のシステム・ユーザにコンテンツをどのように利用することができるかを定義している特有の及び／又は制限された権利を指定することによって、留保されている著作権を保護するように機能する。例えば、ユーザは、特定の番組を回数制限なく再生することが許されているが、着脱可能な媒体にその番組をコピーすることは許されない。暗号化モジュール７３３は、１又は複数の暗号化方式を配送されるコンテンツに対して適用し、意図されているシステム・ユーザである受け手以外のものによるコンテンツの受信を防止する。暗号化が用いられると、暗号化されたコンテンツを受信する権限を有するシステム・ユーザは、ユーザ端末２０２によってコンテンツを復号するのに必要な暗号化鍵などの特定のデジタル情報を有することになる。広告モジュール７３５は、様々なタイプの広告をコンテンツ・データと統合してシステム・ユーザに配送する、及び／又は、ユーザ端末２０２によって広告を配送されるコンテンツに挿入又はオーバレイするのに用いられる広告プレースホルダを組み入れて、広告がより早い時点でダウンロードされユーザ端末２０２に存在するようにすることができる。
【０１００】
図１９は、図１５に示されている通信システム２８０の１又は複数のコンポーネントにおいて存在し、通信システム２８０の動作を制御する通信方法７４０を含む処理モジュールの図である。通信方法７４０は、通信方法７４０の中で１又は複数の他の処理モジュールに結合されており通信方法６００の中での１又は複数の他の処理モジュールの構成及び動作を管理して、アグリゲータ２０１システムからのコンテンツ、ユーザ及び管理データを１又は複数のユーザ端末２０２に伝送し、ユーザ及び管理データを１又は複数のユーザ端末２０２からアグリゲータ２０１に伝送するマスタ通信システム処理モジュール７４１を含む。通信システム処理モジュール７４１は、また、限定されないが、システム・アドミニストレータ５００、リクエスト及び結果処理サーバ３００、コンテンツ配送システム４６０及び広域流通システム２０３の１又は複数のコンポーネントを含むアグリゲータ２０１の他のシステムと動作可能に接続されており、通信して相互作用する。ある実施例では、通信方法７４０の中の処理モジュールは、この処理モジュールの最大ではすべての間での動的な相互接続を許容し通信ルーティングのためにモジュールの論理アドレシングをサポートするバス・トポロジを用いて相互に接続されている。
【０１０１】
システム処理モジュール７４１は、図１５に示されているユーザ・データ・トランシーバ２８５の一部であるユーザ・データ受信モジュール７４３とユーザ・データ伝送モジュール７４５とに結合されている。ユーザ・データ受信モジュール７４３は、広域流通システム２０３とのインターフェースを有しており、１又は複数のユーザ端末２０２によって伝送される入来ユーザ・データを受け取る。ユーザ・データ受信モジュール７４３は、入来ユーザ・データを検査して受け取ったメッセージのタイプを決定し、それに従ってルーティングする。例えば、システム・ユーザのプロフィールを更新する情報は、システム・アドミニストレータ５００にルーティングされ、番組サーチ及びダウンロード・リクエストは、リクエスト及び結果処理サーバ３００にルーティングされる。ユーザ・データ伝送モジュール７４５は、システム処理モジュールと通信方法７４０の他のモジュールとに結合され、アグリゲータ２０１システムからのユーザ及び管理データを１又は複数のユーザ端末２０２に伝送する。伝送されるユーザ・データは、番組利用可能性告知、番組サーチ結果、広告、番組予約、課金情報及びそれ以外の管理情報である。
【０１０２】
システム処理モジュール７４１は、１又は複数のコンテンツ伝送ルータ２８１の１又は複数のハードウェア及び／又はソフトウェア・コンポーネントを制御して、図１５に示されている様々なサブシステムの間でのコンテンツ・データの伝送のために論理的及び／又は物理的な回路接続を確立して管理する。システム処理モジュール７４１は、コンテンツ配送の要件を解析して、１又は複数のコンテンツ伝送システム２８３を構成してコンテンツ配送を満たすのに要求されるシステム・パラメータを決定するコンテンツ伝送システム・パラメータ定義モジュール７５１に結合される。伝送システム・パラメータは、次に、コンテンツ伝送システム・リソース・ポーリング・モジュール７５３によって用いられ、コンテンツ配送を満足する必要で利用可能なコンテンツ伝送システム２８３リソースを識別する。いったん伝送システム・リソースが識別されれば、コンテンツ伝送システム構成モジュール７５５が、リソース識別データ及び伝送パラメータとを用いて、１又は複数のコンテンツ伝送システム２８３を構成して、コンテンツを１又は複数のユーザ端末２０２に配送する。１又は複数のコンテンツ伝送システム２８３が構成された後で、コンテンツ伝送システム管理及びモニタリング・モジュール７５７は、コンテンツ転送の間に伝送システムを監督し、マスタ通信システム処理モジュール７４１と通信方法７４０の中の１又は複数の他のモジュールと通信して、広域流通システム２０３を経由して１又は複数のシステム・ユーザへのコンテンツの適切な配送を保証する。
【０１０３】
伝送符号化モジュール７６１は、１又は複数のコンテンツ伝送システム２８３の中にあり、システム処理モジュール７４１と通信方法７４０の中の他のモジュールとに結合され、１又は複数の符号化方式を、１又は複数のコンテンツ・ファイル、コンテンツ・データ・ストリーム及び／又は広域流通システム２０３の１又は複数のコンポーネントを介して送信するためのユーザ及び管理データ・ファイルに適用する。伝送符号化モジュール７６１は、２つ以上のコンテンツ信号に作用し、これらの信号を、単一のチャネル・キャリア上の伝送される単一の複合信号に合成する。１又は複数の制御信号は、符号化及び／又は多重化されているかどうかとは関係なく、伝送変調モジュール７６５によって作用され、この伝送変調モジュール７６５は、１又は複数のコンテンツ・データ信号を、広域流通システム２０３の１又は複数のコンポーネントを経由しての伝送に適するように１又は複数の中間的及び／又はキャリア周波数の上に変調する。
【０１０４】
いったんコンテンツ伝送信号が符号化、多重化及び／又は変調されると、信号は、広域流通システム２０３を経由しての１又は複数のユーザ端末２０２へのコンテンツの伝送のために、通信方法の中に結合された以下のモジュールの中の１又は複数に送られる。すなわち、オフエア伝送モジュール７７５、衛星伝送モジュール７７７、無線伝送モジュール７７９、ケーブルテレビ伝送モジュール７８１及びデジタル・プロトコル実装及び管理モジュール７８３である。オフエア伝送モジュール７７５は、図１６に示されているように１又は複数のブロードキャスト・アンテナ３２５を用いて１又は複数のテレビ及びラジオ・ブロードキャスト・チャネルの上をコンテンツ・データを伝送するコンポーネントを制御する。衛星伝送モジュール７７７は、１又は複数の衛星アップリンク・アンテナ３２６を用いて１又は複数の通信衛星を経由してコンテンツ・データを伝送するコンポーネントを制御する。無線伝送モジュール７７９は、１又は複数の無線配分アンテナ３２７を用いて１又は複数の無線配分チャネルを経由してコンテンツ・データを伝送するコンポーネントを制御する。ケーブルテレビ伝送モジュール７８１は、１又は複数のの同軸ケーブル及び／又はファイバ伝送インフラストラクチャ３３０のコンポーネントを用いて、１又は複数のケーブル・ヘッドエンド・システムを介してコンテンツ・データを伝送するコンポーネントを制御する。デジタル・プロトコル実装及び管理モジュール７８３は、１又は複数のデジタル・プロトコル伝送サーバ３１９の上に存在して、１又は複数のデジタル・プロトコル伝送ゲートウェイ３３２を経由しての１又は複数の産業標準の及び／又はプロプラエタリなデジタル・プロトコルを用いて伝送のためにコンテンツをカプセル化する。広域ネットワーク・インターフェース及び制御モジュール７７１は、通信方法７４０の中の様々なモジュールに結合され、コンテンツ伝送システム２８３と広域流通システム２０３との間のインターフェースを提供するコンポーネント及び／又はモジュールを識別、構成及び／又は制御する。
【０１０５】
物理媒体作成モジュール７７３は、システム処理モジュール７４１と通信方法７４０の中の他のモジュールとに結合され、ＤＶＤ、ＣＤ−ＲＯＭ、磁気テープ及びアグリゲータ２０１によるコンテンツの配送に適した他の媒体などの物理媒体の上へのコンテンツ生成の自動化された部分を監督する。物理媒体作成モジュール７７３は、システム処理モジュール７４１から物理コンテンツ媒体の作成及び配分のための命令とパラメータとを受け取り、コンテンツ伝送ルータ２８１に結合されて物理媒体上の記録されるコンテンツ・データを受け取る。
【図１】
2010011473.tif 000003
【図２】
2010011473.tif 000004
【図３】
2010011473.tif 000005
【図４】
2010011473.tif 000006
【図５】
2010011473.tif 000007
【図６】
2010011473.tif 000008
【図７】
2010011473.tif 000009
【図８】
2010011473.tif 000010
【図９Ａ】
2010011473.tif 000011
【図９Ｂ】
2010011473.tif 000012
【図９Ｃ】
2010011473.tif 000013
【図１０】
2010011473.tif 000014
【図１１】
2010011473.tif 000015
【図１２】
2010011473.tif 000016
【図１３】
2010011473.tif 000017
【図１４】
2010011473.tif 000018
【図１５】
2010011473.tif 000019
【図１６】
2010011473.tif 000020
【図１７】
2010011473.tif 000021
【図１８】
2010011473.tif 000022
【図１９】
2010011473.tif 000023
【外国語明細書】
2010011473000001.pdf